(57)【特許請求の範囲】
【請求項１】
ユーザ機器（ＵＥ）であって、
サービス閾値より大きい複数のモバイルブロードバンド（ＭＢＢ）ネットワーク必要条件を前記ＵＥが備えると判断し、前記サービス閾値は、ＭＢＢシステムを介して前記ＵＥと通信するアンカー基地局によって提供されるＭＢＢサービスに基づいており、
スモールエリアのワイヤレスアクセスノードのサービスエリアが、前記ＵＥにサービス提供することが可能な地理的エリア内にあるかどうかを判断させるべくアンカーノードに要求を送信し、前記スモールエリアのワイヤレスアクセスノードのサービスエリアは、前記ＭＢＢサービスを前記ＵＥに提供する前記アンカーノードのサービスエリア内に少なくとも部分的にあり、
前記アンカーノードから、前記スモールエリアのワイヤレスアクセスノードの位置を含む応答情報を受信し、
前記アンカーノードから通知された前記スモールエリアのワイヤレスアクセスノードをアクティブ化し、
前記スモールエリアのワイヤレスアクセスノードが、前記ＵＥにサービス提供し得るかどうか判断すべく、前記応答情報を処理し、
前記スモールエリアのワイヤレスアクセスノードと接続する、
ＵＥ。
【請求項２】
前記スモールエリアのワイヤレスアクセスノードと接続することは、ＭＢＢからミリ波セルラーシステムに切り替えることを更に有する、請求項１に記載のＵＥ。
【請求項３】
前記複数のＭＢＢネットワーク必要条件は、複数のロングタームエボリューション（ＬＴＥ）ネットワーク必要条件である、請求項１または２に記載のＵＥ。
【請求項４】
前記スモールエリアのワイヤレスアクセスノードのサービスエリアが、前記地理的エリア内にあるかどうか判断することは、前記ＵＥにサービス提供することが可能なスモールエリアのワイヤレスアクセスノードのリストを周期的に受信することを更に有する、請求項１から３のいずれか一項に記載のＵＥ。
【請求項５】
前記スモールエリアのワイヤレスアクセスノードのサービスエリアが、前記地理的エリア内にあるかどうか判断することは、前記ＵＥにサービス提供することが可能な複数のスモールエリアのワイヤレスアクセスノードのセットを要求することを更に備える、請求項１から４のいずれか一項に記載のＵＥ。
【請求項６】
前記複数のＭＢＢネットワーク必要条件は、大容量データ転送能力を含む、請求項１から５のいずれか一項に記載のＵＥ。
【請求項７】
前記複数のＭＢＢネットワーク必要条件は、前記アンカーノードを介して利用可能であるものより優れたサービス品質を含む、請求項１から６のいずれか一項に記載のＵＥ。
【請求項８】
前記スモールエリアのワイヤレスアクセスノードと接続することは、ＷｉＦｉを用いて前記ＵＥと通信することを更に含む、請求項１から７のいずれか一項に記載のＵＥ。
【請求項９】
前記アンカーノードに前記要求を送信することは、支援データを前記アンカーノードへ送信することを更に含み、
前記支援データは、前記ＵＥのモビリティ様態、位置情報またはメディア消費記述を含む、請求項１から８のいずれか一項に記載のＵＥ。
【請求項１０】
ワイヤレスネットワークデバイスであって、
ワイヤレスネットワークを介してワイヤレスネットワークインフラストラクチャと通信するネットワークインタフェースと、
前記ワイヤレスネットワークデバイスのデバイス位置を提供する位置決定システムと、
プロセッサであって、前記ワイヤレスネットワークデバイスに、
スモールセル接続を要求するための閾値が満たされたと判断させ、前記ワイヤレスネットワークインフラストラクチャからスモールセルのセットの位置を記述する位置情報を受信させ、
前記ワイヤレスネットワークデバイスの前記デバイス位置を決定させ、
前記スモールセルのセットをアクティブ化させ、
アクティブ化された前記スモールセルのセットの中の、前記ワイヤレスネットワークデバイスの前記デバイス位置のサービスを提供する１つのスモールセルに接続させる、複数の命令を実行する、プロセッサと、
を備える、
ワイヤレスネットワークデバイス。
【請求項１１】
通信の追加のチャネルを介して前記スモールセルと接続する補充ネットワークインタフェースを更に備える、請求項１０に記載のワイヤレスネットワークデバイス。
【請求項１２】
前記補充ネットワークインタフェースは、ミリ波インタフェースを更に有する、請求項１１に記載のワイヤレスネットワークデバイス。
【請求項１３】
前記ネットワークインタフェースは、ロングタームエボリューション（ＬＴＥ）インタフェースを更に有する、請求項１０から１２のいずれか一項に記載のワイヤレスネットワークデバイス。
【請求項１４】
前記閾値は、データスループットを配信する前記ワイヤレスネットワークインフラストラクチャへの現在の接続の能力を測定するスループット閾値を超える、前記データスループットの需要に基づいている、請求項１０から１３のいずれか一項に記載のワイヤレスネットワークデバイス。
【請求項１５】
前記プロセッサは、前記ワイヤレスネットワークデバイスに、支援データを有するスモールセル接続に対する要求を送信させる更なる複数の命令を実行し、前記支援データは、前記ワイヤレスネットワークデバイスのモビリティ様態、位置情報またはメディア消費記述を含む、請求項１０から１４のいずれか一項に記載のワイヤレスネットワークデバイス。
【請求項１６】
基地局であって、
第１の無線アクセス技術（ＲＡＴ）を用いて、第１のワイヤレスネットワークを介して複数のユーザ機器（ＵＥ）と通信する第１のネットワークインタフェースと、
コアネットワークと通信する第２のネットワークインタフェースと、
複数のスモールセルの複数の位置を含む位置データを格納する記憶装置と、を有する基地局と、
ブースタであって、
第２のＲＡＴを用いて複数のユーザ機器（ＵＥ）と第２のワイヤレスネットワークを介して通信する第３のネットワークインタフェースと、
前記コアネットワークと通信する第４のネットワークインタフェースと、を有するブースタと、
プロセッサであって、
前記複数のＵＥの中の１つのＵＥによって前記ブースタに接続するための要求を受信し、
前記ＵＥによって使用するために利用可能な前記ブースタを決定し、
ブースタ情報を前記ＵＥに提供し、
前記ブースタをアクティブ化するためのコマンドを前記ＵＥから受信する、
プロセッサと、を備える、
ワイヤレスネットワークインフラストラクチャ。
【請求項１７】
前記プロセッサを含む前記コアネットワークを更に備える、請求項１６に記載のワイヤレスネットワークインフラストラクチャ。
【請求項１８】
前記ブースタと前記基地局との間で複数の送信を中継する中継器を更に備える、請求項１６または１７に記載のワイヤレスネットワークインフラストラクチャ。
【請求項１９】
前記基地局は、前記ブースタの前記第４のネットワークインタフェースと通信し、前記ブースタから受信された複数のメッセージを前記コアネットワークに送信する第５のネットワークインタフェースを更に備える、請求項１６から１８のいずれか一項に記載のワイヤレスネットワークインフラストラクチャ。
【請求項２０】
前記ブースタは、遠隔アンテナおよび前記遠隔アンテナから前記ブースタまでのフロントホールを更に備える、請求項１６から１９のいずれか一項に記載のワイヤレスネットワークインフラストラクチャ。
【請求項２１】
前記プロセッサは、前記複数のＵＥのそれぞれから支援データを受信し、当該支援データは、前記複数のＵＥのそれぞれのモビリティ様態、位置情報またはメディア消費記述を含み、
前記プロセッサは、前記支援データに従って、前記複数のＵＥのシステム情報をグループ化し、グループ化した前記システム情報を前記複数のＵＥのそれぞれへ送信する、請求項１６から２０のいずれか一項に記載のワイヤレスネットワークインフラストラクチャ。
【請求項２２】
前記システム情報をグループ化することは、少なくともＱｏＳ要件およびモビリティ特性のいずれかに関して同じかまたは類似の必要性を有する前記複数のＵＥの前記システム情報を、前記複数のＵＥの位置情報に従ってグループ化することを含む、請求項２１に記載のワイヤレスネットワークインフラストラクチャ。
【請求項２３】
ユーザ機器（ＵＥ）をワイヤレスネットワークインフラストラクチャに接続する方法であって、前記方法は、
ブースタと接続するユーザ機器（ＵＥ）のための閾値が満たされたと判断する段階と、
前記ワイヤレスネットワークインフラストラクチャからブースタのセットの位置を記述する位置情報を受信する段階と、
前記ＵＥのデバイス位置を決定する段階と、
前記ＵＥによって前記ブースタのセットをアクティブ化する段階と、
前記ブースタのセットの中の、前記ＵＥの前記デバイス位置をサービス提供する１つのブースタに接続する段階と、を備える、
方法。
【請求項２４】
前記方法は、前記ワイヤレスネットワークインフラストラクチャに前記位置情報の要求を送信する段階を更に備える、請求項２３に記載の方法。
【請求項２５】
前記方法は、前記ワイヤレスネットワークインフラストラクチャに支援データを含む要求を送信する段階を更に備える、請求項２３または２４に記載の方法。
【請求項２６】
前記支援データは、前記ＵＥのモビリティ様態、位置情報またはメディア消費記述を含む、請求項２５に記載の方法。
【請求項２７】
コンピュータに、請求項２３から２６のいずれか一項に記載の方法を実行させるための、プログラム。
【請求項２８】
請求項２７に記載のプログラムを格納している、コンピュータ可読記録媒体。
【発明の詳細な説明】
【技術分野】
【０００１】
本開示は、ワイヤレスセルラーサービスに関連し、より具体的には、セルラー転送およびアクティブ化に関連する。
【図面の簡単な説明】
【０００２】
【図１】本明細書で開示される実施形態と一致する通信システムを示す概略図である。
【０００３】
【図２】本明細書で開示される実施形態と一致するスモールセルをサポートするインフラストラクチャの４つの例を示す概略図である。
【０００４】
【図３】本明細書で開示される実施形態と一致するスモールセルにアクセスするための方法の概略図である。
【０００５】
【図４】本明細書で開示される実施形態と一致するスモールセルにアクセスするためのより詳細な方法の概略図である。
【０００６】
【図５】本明細書で開示される実施形態と一致する図４における方法の実装の例の概略ブロック図である。
【０００７】
【図６】本明細書で開示される実施形態と一致するスモールセルにアクセスするための代替的な方法の概略図である。
【０００８】
【図７】本明細書で開示される実施形態と一致するスモールセルにアクセスするための別の代替的な方法の概略図である。
【０００９】
【図８】本明細書で開示される実施形態と一致するスモールセルにアクセスするための更に別の代替的な方法の概略図である。
【００１０】
【図９】本明細書で開示される実施形態と一致するスモールセルにアクセスするユーザ機器をイネーブルにするための方法の概略図である。
【００１１】
【図１０】本明細書で開示される実施形態と一致する強化されたワイヤレスプロトコルスタックの概略ブロック図である。
【００１２】
【図１１】本明細書で開示される実施形態と一致する位置データを記述するコードを示す表である。
【００１３】
【図１２】本明細書で開示される実施形態と一致するモバイルデバイスの概略図である。
【発明を実施するための形態】
【００１４】
本開示の実施形態に一致するシステムおよび方法の詳細な説明が以下で提供される。いくつかの実施形態が説明されるが、本開示は、任意の一実施形態に限定されず、代わりに、多くの代替手段、修正されたもの、および均等物を包含することが理解されるべきである。更に、多くの具体的な詳細が、ここで開示される実施形態の深い理解を提供するために、以下の説明において説明されるが、いくつかの実施形態は、これらの詳細のいくつかまたは全てがなくても実施され得る。更に、明確化を目的として、関連分野において知られる特定の技術的な材料は、不必要にその開示を分かりにくくすることを防ぐために、詳細に説明されていない。
【００１５】
セルラーワイヤレスネットワークのワイヤレス通信デバイスが、マクロセル内にカバレッジを有することを可能にする複数のスモールセルを利用する複数の技術、装置および方法が、開示される。例えば、ワイヤレス通信デバイスは、スモールセルを提供するブースタを用いる必要性を検出し得、複数のスモールセルの利用可能性を検出し得、そのスモールセルを提供するブースタとの接続に役立つようにセルラーワイヤレスネットワークのインフラストラクチャに要求を送信し得る。その要求は、有意義なスモールセル選択を可能にすべく、スモールセル位置クエリ、スモールセルのアクティブ化要求および／または支援データで強化され得る。アンカータワー（第３世代パートナーシッププロジェクト（３ＧＰＰ）ロングタームエボリューション（ＬＴＥ）における進化型ノードＢ（ｅＮＢ）等）は、ＵＥから受信される（例えば、ＵＥの現在の、または予測される通信の必要性等を記述する）支援データに一致する複数のスモールセルを選択し、複数のスモールセルを適合させるための、スモールセル配置位置およびスモールセルのアクティブ化結果の両方についてＵＥに通知する。
【００１６】
これらの技術を用い、装置および方法は、スモールセルのアクティブ化、有意義なスモールセル選択および／またはスモールセル配置位置の普及をもたらし得る。スモールセルのアクティブ化により、複数のＵＥが、それらのカバレッジエリアにおいて必要性を示す場合に、複数のＵＥが、電力の節約のためオフにされた複数のスモールセルに再アクティブ化を要求することが可能になる。有意義なスモールセル選択により、複数のスモールセルが、与えられたＵＥに、いくつかの実施形態においては、必要性がその要求に与えられる場合のみサービス提供すべく、選択的にアクティブ化されることが可能になる。ＵＥには、それぞれのエリアにおいてアクティブであり適している複数のスモールセルカバレッジエリア（または、それぞれのスモールセル基地局の配置位置）の位置情報が提供され得る。
【００１７】
ワイヤレスモバイル通信技術は、様々な規格およびプロトコルを用いて、基地局とワイヤレスモバイルデバイスとの間でデータ送信を行う。ワイヤレス通信システムの規格およびプロトコルは、第３世代パートナーシッププロジェクト（３ＧＰＰ）ロングタームエボリューション（ＬＴＥ）規格、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭＡＸ）として業界団体に一般に知られている電気電子技術者協会（ＩＥＥＥ）８０２．１６規格、およびＷｉ−Ｆｉとして業界団体に一般に知られているＩＥＥＥ８０２．１１規格を含み得る。モバイルブロードバンドネットワークは、３ＧＰＰ  ＬＴＥシステム等の様々な高速データ技術を含み得る。ＬＴＥシステムにおける３ＧＰＰ無線アクセスネットワーク（ＲＡＮ）において、基地局は、進化型ユニバーサル地上波無線アクセスネットワーク（Ｅ−ＵＴＲＡＮ）ノードＢ（進化型ノードＢ、強化型ノードＢ、ｅＮｏｄｅＢ、またはｅＮＢとしても一般に示される）、および／またはＥ−ＵＴＲＡＮにおける無線ネットワークコントローラ（ＲＮＣ）を含み得、それは、ユーザ機器（ＵＥ）として知られるワイヤレス通信デバイスと通信する。
【００１８】
いくつかの実施形態において、ＵＥは、（マクロセルカバレッジを有する「マクロ局」としても知られる）基地局に重い負担をかけるネットワーク需要を有する。一例において、この状態は、基地局が、データ使用量の契約に近づいている、または既にこれを超える場合に起こる。別の例において、この状態は、ＵＥが大量データもしくは低レイテンシ要件を有する場合に起こる。基地局に負担をかける代わりに、ＵＥは、ワイヤレスネットワークインフラストラクチャの助けにより、第２のより小さいエリアのセルラー局（「スモールセル」または「ブースタ」または「スモールエリアのワイヤレスアクセスノード」としても知られる）が、ＵＥにサービス提供し得るかどうか決定する。スモールセルが、ＵＥにサービス提供し得る場合、ＵＥは、そのネットワークトラフィックの全てまたはいくらかをスモールセルに転送し得る。多くの実施形態において、スモールセルサービスは、基地局サービスエリアと重複する。
【００１９】
例えば、セルラー通信ネットワークは、更なるスモールセル層を伴う（例えば、複数のマクロセル基地局が、ＧＳＭ（登録商標）／ＧＰＲＳ／ＥＤＧＥ、ＵＭＴＳ、またはＬＴＥ／ＬＴＥアドバンスドに従って動作する）マクロセル層を含み得る。いくつかの実施形態において、これらの更なるスモールセルは、（例えば、トラフィックホットスポットにおける）キャパシティ改善、または（例えば、マクロセルエッジにおける、または地下鉄駅、ショッピングモール等のマクロセル層の複数のカバレッジホールにおける）カバレッジ強化のために主に配置されるであろう。スモールセル層は、例えば、ストリートファニチャーおよび同様のものに搭載され得る小型の低電力基地局によって提供されるであろう。スモールセル基地局（「ブースタｅＮＢ」または「ブースタ」とも呼ばれる）は、ＬＴＥ、ミリ波技術（ｍｍ波）、またはこれらの両方の無線技術に従ってＵＥへのアクセスリンクを提供し得る。
【００２０】
スモールセル基地局は、モバイルネットワーク事業者のコアネットワーク内への有線バックホール接続を有し得る。しかしながら、有線バックホール接続が、様々異なる理由（例えば、実装するのが困難すぎるか、または高価すぎる）で可能でない場合があり得る。モバイル通信ネットワークの既存ネットワークトポロジー内へのスモールセル基地局のシームレスな統合のための別の選択肢は、したがって、バックホールリンクにも、ｍｍ波周波数帯域を使用することである。いくつかの実施形態において、ワイヤレスバックホールのプロビジョニングでは、マクロセルカバレッジの下でスモールセル基地局を配置し、複数のマクロセル基地局の１つに、スモールセル基地局にワイヤレスでサービス提供させるのが有利であり得る。スモールセル基地局にサービス提供するマクロセル基地局は、「アンカーｅＮＢ」、「アンカータワー」または「アンカー」と呼ばれる。
【００２１】
ワイヤレスバックホールリンクは、図２に示されるように、ブースタとアンカーとの間の直接的なポイントツーポイント接続であり得、または、それは間に多数のｍｍ波対応の中継ノードを有するマルチホップ接続であり得る。一実施形態において、複数のｍｍ波対応のインフラストラクチャノードが、同時に中継器およびブースタ（すなわち、中継器／ブースタデバイスの組み合わせ）としての機能を提供することが可能であり得る。ｍｍ波範囲における複数の周波数帯域が、より大きい帯域幅を提供するのによく適している。更に、それらは、より高度のネットワーク高密度化のために利用され得る複数の優れた空間再利用特性を有する。
【００２２】
いくつかの実施形態において、インフラストラクチャ側は、スモールセル位置についての詳細な情報を、与えられたセル内の全てのＵＥに対してブロードキャストモードで、または複数のＵＥのうち選択された数に対して専用信号を介してのいずれかで、ＵＥに提供する。別の実施形態において、これらの情報は、ＵＥ要求がされると、インフラストラクチャノードによって伝播される。別の実施形態において、方法は、ＵＥが、スモールセルの場所についての位置詳細をクエリするだけでなく、スモールセルのアクティブ化についての要求を送信することも可能にする。
【００２３】
図１を参照すると、単一のセルラー無線インタフェース（ＬＴＥ／ＬＴＥアドバンスドアクセスリンク等）を含む無線アクセスネットワーク（ＲＡＮ）システム１００の一部の例が、アンカー１０４とＵＥ１０２との間に（すなわち、アクセスリンクＡ上に）提供され、無線インタフェース（ｍｍ波ベースのインタフェース等の補充ネットワークインタフェース）が、ブースタ１０６とＵＥ１０２との間に（すなわち、アクセスリンクＢ上に）提供される。ＵＥ１０２は、マクロセルカバレッジ１０８内に位置している。ＵＥ１０２は、ブースタ１０６との接続が、ＵＥ１０２のユーザにとって有益であろうと決定する。ＵＥ１０２は、ワイヤレスインフラストラクチャ（例えば、アンカータワー１０４または図１で図示されないコアネットワーク）に、ブースタ１０６を提供するように要求する。ワイヤレスインフラストラクチャは、ＵＥ１０２のエリアにある利用可能なブースタ１０６のリストを選択し得、またはＵＥ１０２にサービス提供し得る。ワイヤレスインフラストラクチャ（アンカータワー１０４によって表される）は、ＵＥ１０２がサービスを受信する場合がある１または複数のスモールセル１１０（ブースタ１０６によってサービス提供される）を決定し得る。ブースタ１０６が、まだアクティブでない場合、ブースタ１０６を低電力状態から起動すべく、アクティブ化コマンドが、ワイヤレスインフラストラクチャ（またはＵＥ）によって送信され得る。アクティブ化応答が、コマンドの成功を通知すべく任意で受信され得る。インフラストラクチャは、１または複数のスモールセル１１０について決定された情報をＵＥ１０２に提供し得る。ＵＥ１０２は、次に、ブースタ１０６への接続が可能であるかどうか判断すべく、その情報を検討する。可能である場合、ＵＥ１０２は、アクセスリンクＢにおいてブースタ１０６と接続し得る。いくつかの実施形態において、ＵＥ１０２は、アンカータワー１０４に対するアクセスリンクＡを保持する。ＵＥ１０２は、アクセスリンクＡ上のワイヤレスサービスのいくつかまたはその一部を、オフロードし得る。他の実施形態において、ＵＥ１０２は、アクセスリンクＡから接続を切断し、全てのワイヤレスサービスをアクセスリンクＢに移動させる。いくつかの実施形態において、アクセスリンクＡおよびアクセスリンクＢは、同じ周波数および技術を用いる。他の実施形態において、アクセスリンクＡおよびアクセスリンクＢは、複数の異なる周波数（例えば、ＬＴＥ認可された周波数およびｍｍ波周波数）および異なるリンク技術（例えば、ＬＴＥおよびＷｉ−Ｆｉ）を用いる。他の実施形態において、アクセスリンクＡおよびアクセスリンクＢは、複数の異なる周波数および同様のリンク技術（例えば、ＬＴＥおよびｍｍ波を介したＬＴＥ）を用いる。
【００２４】
ブースタ１０６は、アンカータワー１０４を介して利用可能でない複数のサービスを提供し得る。一実施形態において、ブースタ１０６は、ＵＥ１０２の高帯域幅および／または低レイテンシの必要性のために、より大きいスループットおよび／またはより短い遅延時間を（例えば、ｍｍ波技術を介して）提供し得る。別の実施形態において、ブースタ１０６は、通常アンカータワー１０４に向かう予定のトラフィックを取り込むことによって、アンカータワー１０４のための輻輳緩和を提供し得る。他の実施形態において、ブースタ１０６は、劣化した性能を有するマクロセル１０８の複数のエリアの上に重ねてスモールセル１１０にカバレッジを提供し得る。
【００２５】
必要性は、複数の要件、閾値、比較、サービス、サービスレベル、値推定、値比較等に基づき得る。例えば、ワイヤレスネットワークデバイスは、ネットワークインタフェースを介して受信されたワイヤレスサービスが、閾値以下に低下すると判断し得る。別の例において、モバイルデバイスは、基地局がモバイルデバイスによって要求されるかまたは必要とされる複数のサービスを提供しないと判断し得る。一例において、クライアントは、第１のセルラーインタフェースによって提供されるサービス値が、第２のセルラーインタフェースを介した推定値未満であると判断し得る。これらの例の各々において、必要性は満たされず、ブースタへの接続が望ましいことがあり得る。
【００２６】
実施形態に応じて、スモールセル位置情報のＵＥ１０２へのプロビジョニングは、動的または静的であり得る。ワイヤレスインフラストラクチャは、この情報を、システム情報ブロードキャスト、専用信号を介して、またはオープンモバイルアライアンスデバイス管理（ＯＭＡＲ  ＤＡＭ）オブジェクトを介して通信し得る。
【００２７】
いくつかの実施形態において、ワイヤレスインフラストラクチャは、カバレッジエリア内のＵＥ１０２に対して利用可能なブースタ１０６についての情報のブロードキャストを提供する。複数のブースタ位置および／またはサービスエリア（例えば、複数のスモールセル１１０）のこのブロードキャストにより、ＵＥ１０２が、必要な場合に情報を格納し、それを用いることが可能になる。一実施形態において、ＵＥは、インフラストラクチャ（例えば、図１０を参照）からのブースタ情報のブロードキャストを要求すべく、無線リソース制御（ＲＲＣ）層を用い得る。別の実施形態において、アンカータワー１０４は、マクロセルカバレッジ１０８内のＵＥ１０２に対してブースタ情報をブロードキャストし得る。いくつかの実施形態において、ブロードキャストは、ＩＤＬＥおよびＣＯＮＮＥＣＴＥＤモードの動作にある、ＵＥ１０２に提供され得る。カバレッジエリアは、マクロセルカバレッジ１０８または領域をカバーするアンカータワー１０４のセットであり得る。いくつかの実施形態において、タワー１０４のセットは、ＵＥ１０２が接続される（例えば、１００マイル半径内）アンカータワー１０４と共に変化し得る。
【００２８】
いくつかの実施形態において、インフラストラクチャは、複数のスモールセルについての情報に関して、ＵＥに専用信号伝達を提供する。実施形態によっては、インフラストラクチャは、ＵＥから要求に応じてスモールセル情報を提供し得、または、それは、ＵＥ位置または環境情報（例えば、地理的位置、接続されたアンカータワー、ＵＥ速度および方向等）に応じて、スモールセル情報の更新をＵＥに提供し得る。他の実施形態において、専用信号伝達は、ＣＯＮＮＥＣＴＥＤモードの動作において存在する単一のＵＥのために、ＲＣ層で実行され得る。
【００２９】
いくつかの実施形態において、インフラストラクチャは、スモールセルについての情報に関してＵＥに通知すべく、ＯＭＡＲ  ＤＡＭオブジェクトを用いる。一実施形態において、ＯＭＡＲ  ＤＡＭは、アプリケーション層機能を用いる半静的アプローチを用いる。例えば、インフラストラクチャは、複数のブースタ１０６の位置情報およびそれらの関連するスモールセルカバレッジ１１０を含むＯＭＡＲ  ＤＡＭオブジェクトを記述する、ＸＭＬでフォーマット化されたＯＭＡＲ  ＤＡＭメッセージを送信し得る。
【００３０】
他の実施形態において、ＵＥ１０２は、ワイヤレスインフラストラクチャが、どのブースタ１０６をＵＥ１０２に提供すべきかをより良好に決定することを可能にするＵＥ１０２の支援データをワイヤレスインフラストラクチャに提供する。支援データを用い、ワイヤレスインフラストラクチャは、ＵＥ１０２がスモールセル１１０内にあるブースタ１０６を選択する。ブースタ１０６は、必要な場合、アクティブ化され得、ＵＥ１０２は、ブースタ１０６について通知される。ＵＥ１０２は、次に、ブースタ１０６に接続し得る。
【００３１】
支援データは、モビリティ様態、位置情報および／または媒体消費情報を含み得る。モビリティ様態は、速度、方位、方向、ベクトル等を含み得る。位置情報は、ＧＰＳデータ、ＲＦフィンガープリント、範囲内のＷｉ−Ｆｉ（登録商標）ネットワーク等を含み得る。媒体消費情報は、サービス品質（ＱｏＳ）要件、アプリケーションのタイプ、トラフィックの遅延許容範囲またはリアルタイム特性を記述するフラグ等を含み得る。
【００３２】
他のセルラー無線アクセス技術（ＧＳＭ（登録商標）／ＧＰＲＳ／ＥＤＧＥ、またはＵＭＴＳ等）、並びに、他の非セルラー無線アクセス技術（Ｗｉ−ＦｉまたはＢｌｕｅｔｏｏｔｈ（登録商標）等）が用いられ得る。アクセスリンクＡおよびＢの両方は、同じ無線アクセス技術または異なる無線アクセス技術に基づいてよい。これらは、上記で説明されたように、セルラーまたは非セルラーのいずれかであってよい。
【００３３】
ＵＥ内で、アクセスリンクＢのための送受信機モジュールが、オンまたはオフのいずれかであり得る。いずれの場合でも、ブースタが、図１に示されるようにオフになっている限り、ＵＥは、ブースタからいかなるＤＬ信号も受信しないであろう。 
【００３４】
一実施形態において、システム１００は、複数の無線アクセスネットワーク（ＲＡＮ）を含み得、それを介してＵＥ１０２が、ボイスサービスまたはインターネット等のＩＰサービスまたは他のデータサービスにアクセスし得る。システム１００は、コアネットワークを介して通信サービスへのアクセスを提供する、移動通信用グローバルシステム（ＧＳＭ（登録商標））、ＧＳＭ（登録商標）進化型高速データレート（ＥＤＧＥ）ＲＡＮ（ＧＥＲＡＮ）、ＵＴＲＡＮ、およびＥ−ＵＴＲＡＮを含み得る。複数のＲＡＮの各々は、特定の３ＧＰＰ無線アクセス技術（ＲＡＴ）に従って動作し得る。例えば、ＧＥＲＡＮは、ＧＳＭ（登録商標）および／またはＥＤＧＥ  ＲＡＴを実装し、ＵＴＲＡＮは、ユニバーサルモバイル電気通信システム（ＵＭＴＳ）ＲＡＴまたは他の３ＧＰＰ  ＲＡＴを実装し、Ｅ−ＵＴＲＡＮは、ＬＴＥ  ＲＡＴを実装する。他の技術は、ｍｍ波ベースのＲＡＴ、８０２．１１ａ、８０２．１１ｇ、８０２．１１ｎ、８０２．１１ａｃ、任意の他の８０２．１１ＲＡＴまたは８０２．１６ＲＡＴを（ＷｉＭＡＸ  ＲＡＮを介して）含み得る。
【００３５】
実施形態において、複数のＲＡＮの各々は、ＵＥとワイヤレスで通信し、複数の通信サービスへのアクセスを提供するための１または複数の基地局または他のインフラストラクチャを含む。例えば、Ｅ−ＵＴＲＡＮは、ＵＥとワイヤレスで通信するように構成された１または複数のｅＮＢを含む。
【００３６】
実行される複数のオペレーションの例および順序が、本開示で説明されるが、それらの例は、明確性の目的のための特定事項と共に提供される。方法のオペレーションの順序が、切り換えられ得、および／または同時に実行され得ることが認識されるべきである。いくつかの方法において、説明された実施形態（例えば、図４〜図８を参照）の範囲から逸脱することなくオペレーションが省かれ得、または追加され得る。いくつかの方法において、複数のオペレーションは、異なる機器によって実行されてよい（例えば、ＵＥは、インフラストラクチャに起因する複数のオペレーションを実行してよく、またはその逆も同様であってよい）。
【００３７】
図２は、複数のスモールセルをサポートする４つの種類のインフラストラクチャの例である。例Ａにおいて、ブースタ１０６は、コアネットワークインフラストラクチャへの直接的な接続を有する。例Ｂにおいて、ブースタ１０６は、ポイントツーポイントバックホールリンク（図１も参照）を介してアンカーによってサービス提供される。例Ｃにおいて、ブースタ１０６は、複数の中継ノード２１２を含むマルチホップバックホール接続を介してアンカーによってサービス提供される。例Ｄにおいて、遠隔無線ヘッド（ＲＨ）２１４を有する遠隔ブースタ２１８が、アンカー１０４によってサービス提供される。これらの例は、網羅的ではないが、これらは、複数のスモールセルにサービス提供すべく組み合わされ得る機能性の見識および複数の例を提供する。
【００３８】
例Ａは、アンカー１０４なしでブースタ１０６の動作を示す。ＵＥ１０２は、ブースタ１０６によって提供されるスモールセルにおいて利用可能なアクセスリンク２０４を介して、ブースタ１０６に接続し得る。ブースタ１０６は、インタフェース２０６（ＥＰＣに対するＳ１インタフェース等）を介してインフラストラクチャ（進化型パケットコア（ＥＰＣ）におけるインフラストラクチャ等）に接続し得る。いくつかの実施形態において、インタフェースは、インフラストラクチャへの有線またはワイヤレス（ポイントツーポイント等）接続を介して達成され得る。
【００３９】
例えば、ＵＥ１０２は、インフラストラクチャ２０２がアンカーノード１０４を介して、ＵＥ１０２に対して利用可能なブースタ１０６のリストを提供することを要求し得る。ＵＥ１０２は、ＵＥ１０２の位置を含む支援情報を提供し得る。インフラストラクチャ２０２は、ブースタ１０６が、ＵＥ１０２によって要求された複数のサービスを提供し得ると判断し得る。インフラストラクチャ２０２は、ブースタ１０６に低電力状態から抜け出させるようにさせるべく、インタフェース２０６を介してブースタ１０６にメッセージ送信し得る。インフラストラクチャ２０２は、次に、位置情報を含む、ブースタ１０６についての情報をＵＥ１０２に送信し得る。ＵＥ１０２は、ブースタ１０６に接続し得、アンカーへの前の接続を切り離す。通信は、次に、アクセスリンク２０４を介してＵＥ１０２から、ブースタ１０６を通り、インタフェース２０６を介してインフラストラクチャへ、そして行き先（インターネットまたはインフラストラクチャの一部等）へと流れ得て、戻り得る。
【００４０】
例Ｂは、アンカー１０４と共にブースタ１０６の動作を示す。ＵＥ１０２は、ブースタ１０６によって提供されるスモールセルにおいて利用可能なアクセスリンク２０４を介してブースタ１０６に接続する。ブースタ１０６は、バックホールリンク２０８を介してアンカー１０４と接続し得る。いくつかの実施形態において、バックホールリンク２０８は、ポイントツーポイントワイヤレスを介している。他の実施形態において、バックホールリンク２０８は、有線接続を介している。アンカー１０４は、インタフェース２０６を介してインフラストラクチャと接続し得る。インフラストラクチャ２０２に対するアンカー１０４のインタフェース２０６を用いることで、ブースタ１０６は、アンカーのワイヤレスサービスが飽和状態にあるときでさえ、飽和状態でなくてよいインフラストラクチャ２０２への複数の既存の高速リンクを共有し得る。
【００４１】
例えば、アンカータワー１０４（ｅＮＢ等）とインフラストラクチャ２０２（ＥＰＣ等）との間の有線インタフェース２０６（光ファイバ等）は、ＵＥ１０２のセットが、アンカーのＬＴＥ  ＲＡＮを飽和させるときでさえ、未使用のスループット（例えば、帯域幅）を含み得る。第２の通信チャネル（ポイントツーポイントワイヤレスインタフェース等）を用いて、ブースタ１０６は、アンカー１０４と通信し得、その未使用のスループットを用い得る。ブースタ１０６に接続するＵＥ１０２は、したがって、アンカー１０４と接続されたＵＥ１０２より良いサービスを受信し得る。いくつかの実施形態において、ブースタ１０６は、ＬＴＥ  ＲＡＴとは異なるＲＡＴ（ｍｍ波スモールセルラー技術等）を用い得、そうすることで、ＬＴＥ  ＲＡＴのスペクトルの競合／干渉は、影響を受けない。
【００４２】
例Ｃは、中継ノード２１２と共にブースタ１０６の動作を示す。ＵＥ１０２は、ブースタ１０６によって提供されるスモールセルにおいて利用可能なアクセスリンク２０４を介してブースタ１０６に接続する。ブースタ１０６は、中継バックホールリンク２１２を介して中継ノード２１２と接続し得る。いくつかの実施形態において、中継バックホールリンク２１２は、ポイントツーポイントワイヤレスの介している。他の実施形態において、中継バックホールリンク２１２は、有線接続を介している。中継ノード２１２は、第２のバックホールリンク２０８を介してアンカー１０４と接続し得る。アンカー１０４は、インタフェース２０６を介してインフラストラクチャに接続し得る。
【００４３】
例えば、ブースタ１０６は、アンカー１０４とのワイヤレス接続の見通しが可能でないストリートレベルで配置され得る。中継ノード２１２は、ブースタ１０６およびアンカー１０４の見通し内で配置され得る。中継ノード２１２は、次に、ブースタ１０６とアンカー１０４との間のブリッジとして動作すべく、ポイントツーポイントワイヤレス技術を用い得る。いくつかの実施形態において、中継器は、複数のブースタ１０６にサービス提供し得、アンカーは、複数の中継ノード２１２およびブースタ１０６にサービス提供し得る。
【００４４】
例Ｄは、遠隔無線ヘッド２１４と共に遠隔ブースタ２１８の動作を示す。ＵＥ１０２は、遠隔無線ヘッド２１４によって提供されるスモールセルにおいて利用可能なアクセスリンク２０４を介して遠隔ブースタ２１８に接続する。遠隔無線ヘッド２１４は、遠隔ブースタ２１８から離れて位置付けられ得、フロントホールリンク２１６を介して遠隔無線ヘッド２１４とＵＥ１０２との間で複数の信号を伝達し得る。遠隔ブースタ２１８は、バックホールリンク２０８を介してアンカー１０４と接続し得る。いくつかの実施形態において、バックホールリンク２０８は、ポイントツーポイントワイヤレスを介している。他の実施形態において、バックホールリンク２０８は、有線接続を介している。アンカー１０４は、インタフェース２０６を介してインフラストラクチャに接続し得る。
【００４５】
当業者は、多くの他のコンポーネントおよび機能が、コアネットワーク２０２、アンカー１０４または他のインフラストラクチャに含まれ得るか、または実装され得ることを認識するであろう。
【００４６】
図３は、セルラーワイヤレスネットワークのワイヤレス通信デバイスがマクロセル内にカバレッジを有する複数のスモールセルを利用することを可能にするプロセス３００を示す。その方法は、ＵＥ１０２、アンカー１０４、コアネットワーク２０２およびブースタ１０６によって図１および図２に示されるように、システム１００またはシステム２００において実現され得る。ブロック３０２において、ＵＥは、スモールセルと接続する必要性を判断する。ブロック３０４において、ＵＥは、位置情報およびブースタ情報等、スモールセルのセットを記述するスモールセル情報を受信する。ブロック３０６において、ＵＥは、ＵＥの位置を決定する。ブロック３０８において、ＵＥは、その位置およびスモールセル情報を用い、ＵＥにサービス提供し得るスモールセルに接続する。
【００４７】
いくつかの実施形態において、ＵＥは、ＵＥが接続し得るブースタを選択し得る、強化された情報（ＵＥ位置等）をインフラストラクチャに送信し得る。この情報は、ＵＥに送信され得、ＵＥは、その情報を用いて選択されたブースタに接続する。
【００４８】
図４は、セルラーワイヤレスネットワークの通信デバイスが、マクロセル内でカバレッジを有する複数のスモールセルを利用することを可能にする、より詳細なプロセス４００を示す。その方法は、ＵＥ１０２、アンカー１０４、コアネットワーク２０２およびブースタ１０６によって図１および図２に示されるように、システム１００またはシステム２００において実現され得る。ブロック４０２において、ＵＥは、マクロセルの飽和度等、スモールセルと接続する必要性を判断する。ブロック４０４において、ＵＥまたはインフラストラクチャは、ＵＥに対する複数のスモールセルの利用可能性（エリア内の複数のスモールセルおよび／または複数の既知のスモールセルと通信するためのＵＥの能力等）を判断する。ブロック４０６において、ＵＥは、インフラストラクチャからスモールセルへのアクセスを要求し得る。その要求により、インフラストラクチャが決断をする、またはＵＥが決断をするためにインフラストラクチャが、複数のスモールセルについての情報を、そのＵＥに提供するという結果になり得る。ブロック４０８において、インフラストラクチャまたはＵＥは、ＵＥにサービス提供する（例えば、ブースタによって提供される複数のサービスを、ＲＡＮ、ＲＡＴ、スループット、低レイテンシ等のＵＥに対して利用可能な複数のサービスに適合させる等）複数のスモールセルを認定し得る。ブロック４１０において、インフラストラクチャまたはＵＥは、認定された複数のスモールセルに、低電力状態から起動させる、および／またはＵＥから複数の接続の受け付けを始めさせる等、アクティブ化させるメッセージを送信し得る。ブロック４１２において、インフラストラクチャまたはＵＥは、ＵＥにサービス提供し得る複数のスモールセルのカバレッジエリアを決定し得る。ブロック４１４において、インフラストラクチャまたはＵＥは、ＵＥによる使用のためのスモールセルを選択する。ブロック４１６において、ＵＥは、スモールセルと接続し、１または複数の接続（例えば、複数のパケットデータネットワーク（ＰＤＮ）接続および／またはボイス接続）をスモールセルに伝達する。
【００４９】
例えば、図４の方法は、図５に示されるように実装され得る。図５は、異なるシステム１０２、１０４および１０６によって実装される７つの段階５０２、５０４、５０６、５０８、５１０、５１２および５１４を示す。
【００５０】
段階１（５０２）において、ＵＥ１０２は、スモールセルと接続する必要性を判断する。ＵＥ１０２は、スモールセルと接続する必要性のための判断を結果としてもたらす複数の判断を有し得る。実施形態において、ＵＥ１０２は、スモールセルとの接続を失っており、別のスモールセルと接続する必要性を判断する。いくつかの実施形態において、ユーザ、ＵＥ１０２またはＵＥ１０２において実行するアプリケーションは、スモールセルと併用して動作に好ましく、推奨され、義務付けられるサービスを用いる。このサービス制約は、事業者ポリシーを通じてモバイルネットワーク事業者から、サービス契約を通じてサードパーティサービスプロバイダから、データ帯域幅需要対現在のデータ帯域幅提供に基づくＵＥ１０２から、またはユーザ選択を通じてユーザからもたらされ得る。
【００５１】
段階２（５０４）において、ＵＥ１０２は、ＵＥ１０２に対する複数のスモールセルの利用可能性を判断する。ＵＥ１０２は、スモールセルによってカバーされているとＵＥ１０２に知られているエリア／位置に入る。この認識は、事前にＵＥ１０２によって前に送信された情報によって導出され得、またはＵＥ１０２は、前に成功したスモールセルとの接続の確立から関連する位置情報を格納している。位置情報は、地理的座標、ＲＦフィンガープリント等を含み得る。
【００５２】
段階３（５０６）において、ＵＥ１０２は、アンカー１０４からスモールセルへのアクセスを要求し得る。これらの要求は、図１０と併せて説明されるように、複数のメッセージおよび情報要素を含み得る。一実施形態において、ＵＥ１０２は、スモールセル配置に関連する位置情報をクエリする。ＵＥは、アンカーｅＮＢにクエリを送信し、スモールセルの詳細なカバレッジエリアに関連する位置情報（および／または、それぞれのスモールセル基地局の配置位置を記述する詳細な情報）を提供するよう求める。別の実施形態において、ＵＥは、複数のスモールセルのアクティブ化を要求する。その現在位置で容量および／またはカバレッジを改善すべく、ＵＥは、アンカーｅＮＢにアクティブ化要求を送信し、１または複数の更なるスモールセルをアクティブ化するようにインフラストラクチャに求める。 
【００５３】
実施形態において、ＵＥは、複数のスモールセルへのアクセスのためのクエリまたは要求に支援データを追加する。インフラストラクチャは、ＵＥの環境に関するいくつかの支援データを、ＵＥが要求またはクエリに追加する場合、スモールセル位置の決定および／またはスモールセルのアクティブ化に関して有意義な決断をし得る。支援データは、モビリティ様態、位置情報および／または媒体消費情報であり得る（またはそれに関連し得る）。モビリティ様態は、速度、方位、方向、ベクトル等を含み得る。位置情報は、ＧＰＳデータ、ＲＦフィンガープリント、範囲内のＷｉ−Ｆｉ（登録商標）ネットワーク等を含み得る。媒体消費情報は、サービス品質（ＱｏＳ）要件、アプリケーションのタイプ、トラフィックの遅延許容範囲またはリアルタイム特性を記述するフラグ等を含み得る。
【００５４】
段階４（５０８）において、アンカー１０４は、ＵＥ１０２にサービス提供するための複数のスモールセルを選択し得る。一実施形態において、アンカー１０４は、ＵＥ１０２のクエリを評価し得る。インフラストラクチャ側は、通信サービスをＵＥに提供することが可能な複数のスモールセル基地局を決定する。追加の支援データがＵＥによってその要求／クエリにおいて提供されない場合、シンプルな選択ルーチンが、ＵＥの現在のマクロセルの下で動作する（または動作し得る）全てのスモールセルは、ＵＥへのサービスプロビジョニングに認定されていると仮定する。現在のマクロセルの下で動作する全てのスモールセルは、ＵＥのための潜在的候補として選択され得る。別の実施形態において、アンカー１０４は、提供された支援データを用いてＵＥのクエリを評価する。支援データ（例えば、マクロセル内のＵＥの地理的位置、データスループットについてのＵＥの必要性等）を用いて、インフラストラクチャ側は、支援データに従ってＵＥにサービス提供し得るシンプルな選択によって決定されるスモールセルのリストから、それらのスモールセルだけを選択することによって、（前のシンプルな選択の実施形態と比較して）より具体的な決断を提供し得る。ＵＥまで到達しないカバレッジエリアを有する複数のスモールセル、要求されたサービスを提供しない複数のスモールセル、または現在過負荷をかけられている複数のスモールセルは、ＵＥのための潜在的候補のリストから除外され得る。
【００５５】
段階５（５１０）において、アンカー１０４は、認定されたブースタ１０６にアクティブ化させるメッセージを送信し得る。スモールセル（例えば、段階＃４で選択され得たもの）のアクティブ化のため、アンカー１０４は、選択基準（基準の確認については、段階＃４を参照されたい）を満たす全てのブースタ１０６にアクティブ化要求を送信する。アクティブ化要求は、対応するスモールセル基地局において処理される再設定コマンドであり得る（またはそれを含み得る）。ブースタ１０６は、アンカー１０４から受信されたアクティブ化要求の受信を承認し得る。
【００５６】
段階６（５１２）において、アンカー１０４は、ＵＥ１０２に選択されたスモールセル情報を送信し得る。複数のスモールセルの詳細なカバレッジエリアに関連する位置情報（および／またはそれぞれのスモールセル基地局の配置位置を記述する詳細な情報）の伝播は、複数の方法で起こり得る。３つの代替手段が、ＵＥに対する無線インタフェースをわたってインフラストラクチャ側から情報を取得する実施形態として説明されるが、他の複数の実施形態も可能である。
【００５７】
一実施形態において、システム情報ブロードキャストが用いられ得る。ここで、インフラストラクチャ側は、システム情報ブロードキャスト強化を用いる。これは、非常に動的なアプローチであり、ＲＣ層で起こる。スモールセルの能力またはアクティビティが変化するとすぐに、この変化は、殆ど即座にシステム情報ブロードキャストに反映され得る。システム情報ブロードキャストは、ＵＥが、現在、ＩＤＬＥまたはＣＯＮＮＥＣＴＥＤモードの動作にあるかどうかに関わらず、与えられたセルにおける全てのＵＥによって受信される。
【００５８】
可能なエンコード例は、図１１において与えられる。マクロセル基地局（例えば、アンカー１０４）は、スモールセルの詳細なカバレッジエリアの記述について（および／または、それぞれのスモールセル基地局の配置位置を記述する詳細な情報について）、そのシステム情報ブロードキャストにおける複数の新たな情報要素を伝播する。必要な場合、これらの新たな情報要素は、段階＃３においてＵＥから受信されたＵＥの個々の状況に関する支援データに従ってグループ化され得る。例えば、システム情報は、第１の（グループの）ＵＥについて意図された第１のセットの位置情報と、第２の（グループの）ＵＥについて意図された第２のセットの位置情報とを備えてよい。ＵＥのグループは、例えば、ＱｏＳ要件およびモビリティ特性に関して同じかまたは類似の通信必要性をそれぞれ有するＵＥで形成され得る。
【００５９】
別の実施形態において、専用信号が用いられ得る。インフラストラクチャ側は、ＣＯＮＮＥＣＴＥＤモードの動作にある複数の選択されたＵＥに通知すべく、ＲＲＣメッセージにおいて複数の強化を用いる。非常に動的なアプローチであり得るので、スモールセルの能力またはアクティビティが変化するときにはいつでも、変化は、殆ど即座に反映され得る。ＲＲＣは、図１０と併せて説明されるように、ＳｍａｌｌＣｅｌｌＬｏｃａｔｉｏｎＲｅｑｕｅｓｔ（）、ＳｍａｌｌＣｅｌｌＬｏｃａｔｉｏｎＲｅｓｐｏｎｓｅ（）、ＳｍａｌｌＣｅｌｌＬｏｃａｔｉｏｎＩｎｆｏ（）およびＳｍａｌｌＣｅｌｌＬｏｃａｔｉｏｎＡｃｋｎｏｗｌｅｄｇｅｍｅｎｔ（）を含む新たなおよび／または更新されたＲＲＣメッセージで強化され得る。
【００６０】
更に別の実施形態において、ＯＭＡＲ  ＤＡＭが、スモールセル情報をＵＥ提供するのに用いられ得る。実施形態において、ＯＭＡＲデバイス管理は、オープンモバイルアライアンス（ＯＭＡＲ）によって特定されるデバイス管理のためのプロトコルである。最新の利用可能なバージョンのＯＭＡＲ  ＤＡＭ仕様書は、Ｖ２．０（候補リリース、まだ未承認）であり、最新の利用可能な承認されたバージョンのＯＭＡＲ  ＤＡＭは、Ｖ１．２．１である。ＯＭＡＲ  ＤＡＭは、携帯電話、ＰＤＡおよびタブレットコンピュータ等のモバイルデバイスの管理のために設計されている。デバイスの設定（機能を有効化および無効化する一回目の使用を含む）並びにデバイスの動作中に設定およびパラメータを変更することは、ＯＭＡＲ  ＤＡＭの範囲内に収まる。ＯＭＡＲ  ＤＡＭプロトコルは、データ交換のために、ＳｙｎｃＭＬによって定義されたＸＭＬのサブセットを含むＸＭＬを用いる。デバイス管理は、サーバ（デバイスを管理している）とクライアント（管理されているデバイス）との間の通信によって行われる。
【００６１】
例えば、通信は、インフラストラクチャ内のＯＭＡＲ  ＤＡＭサーバによって、利用可能な通信チャネル（ＷＡＰ  ＰｕｓｈまたはＳＭＳ等）を用いて、非同期的に開始される。サーバからクライアントへの初期のメッセージは、通知または警告メッセージの形態であり得る。メッセージのシーケンスが、与えられたデバイス管理タスクを完了させるべく、交換され得る。ＯＭＡＲ  ＤＡＭは、シーケンスから抜け出して起こり得、サーバまたはクライアントのいずれかによって開始され得るメッセージである警告を提供する。警告は、エラー、異常な終了等を処理するのに用いられ得る。ＯＭＡＲ  ＤＡＭは、スモールセル情報を提供すべく、アプリケーション層機能を用い得る。スモールセルの詳細なカバレッジエリアに関連する位置情報（またはそれぞれのスモールセル基地局の配置位置を記述する詳細な情報）を伝播することを可能にすべく、新たな管理オブジェクトが定義され得る。
【００６２】
段階７（５１４）において、ＵＥ１０２は、スモールセル情報を処理し、ブースタ１０６と接続すべきかどうか判断する。ＵＥ１０２は、アンカー１０４から受信されたスモールセルカバレッジエリア（および／またはそれぞれのスモールセル基地局の配置位置）についての位置情報を処理する。ＵＥ１０２は、その現在位置において、スモールセル基地局によって提供されるカバレッジまたは容量が、現在利用可能であるか、更に利用可能にされ得るか導出するように使用可能である。このために、受信されたような位置情報（ＧＰＳ座標、ＲＦフィンガープリント等を含み得る）を利用し、それを別の（より適した）フォーマットに変換し、それを、それ自身の現在のまたは予測される位置に対して比較するのに、ＵＥ１０２が必要とされ得る。段階７（５１４）の後、ＵＥ１０２は、スモールセルと接続し、１または複数の接続をスモールセルに伝達する。
【００６３】
図５を含む複数の図において、アンカー（ｅＮＢ等）は、インフラストラクチャの一部である。しかし、これは、制約であると理解されるべきでなく、アンカーが、ＵＥから受信された複数の要求を何らかのコアネットワークエンティティ（モビリティ管理エンティティ（ＭＭＥ）等）に渡すか、またはＵＥに関連する／ＵＥのために意図されたコアネットワークエンティティから（例えば、ＭＭＥから）いくつかの命令を受信する場合があり得る。「インフラストラクチャ」という用語は、したがって、複数の異なるタイプのコアネットワーク要素および無線アクセスネットワークノードを含むと理解されるべきである。結果として、段階＃４（５０８）および＃５（５１０）において、「インフラストラクチャ要素」基地局（アンカーｅＮＢ）は、他の複数の「インフラストラクチャ要素」（ＭＭＥまたはホームサブスクライバサーバ（ＨＳＳ）等）と共同して、いかなるアクティブ化要求および／または位置クエリも評価し得、および／または段階＃６（５１２）における情報交換のために複数のスモールセルを選択し得る。
【００６４】
図４および図５と併せて説明される複数のプロセスは、複数の更なる動作を追加するか、または複数の動作を除去すべく任意で修正され得る。図６〜図９は、そのような複数の任意のプロセスを説明する。図６〜図８は、ＵＥの視点からの複数のプロセスを説明するが、図９は、インフラストラクチャの視点からのプロセスを説明する。
【００６５】
図６は、セルラーワイヤレスネットワークのワイヤレス通信デバイスが、マクロセル内でカバレッジを有する複数のスモールセルを利用することを可能にするプロセス６００を示す。その方法は、ＵＥ１０２、アンカー１０４、コアネットワーク２０２およびブースタ１０６によって図１および図２に示されるように、システム１００またはシステム２００において実現され得る。ブロック６０２において、ＵＥは、アプリケーションからの大量のデータ需要等、スモールセルと接続するための必要性を判断する。ブロック６０４において、ＵＥは、スモールセルのリストについてインフラストラクチャに要求を送信する、またはＵＥにおける格納リストを再検討する等、複数のスモールセルの利用可能性を判断する。ブロック６０６において、ＵＥは、スモールセルのカバレッジエリアを決定し、そのカバレッジをＵＥの位置と比較し得る。ブロック６０８において、ＵＥは、ＵＥの要件に適合するスモールセルを選択し得る。ブロック６１０において、ＵＥは、スモールセルに接続し得る。
【００６６】
例えば、セルラーデバイスは、ＬＴＥを介したｅＮＢに対する現在の接続は、ストリーミングビデオサービスのデータ需要を十分に満たさないであろうと判断する。セルラーデバイスは、ＲＲＣメッセージをＥＰＣに送信し、ストリーミングビデオサービスの位置、移動ベクトル、利用可能なＲＡＴおよびデータ需要を含む支援データと共に、対応可能な複数のスモールセルのリストを要求する。ＥＰＣは、支援データと互換性のある利用可能なブースタ（ブースタｅＮＢおよび／またはｍｍ波ＲＡＴと互換性のあるブースタ等）を記述する１または複数の情報要素（ＩＥ）を含むＲＲＣ応答メッセージをＵＥに戻す。ＵＥは、ｍｍ波ブースタ等のＩＥにおいて記述されるスモールセルを選択し、そのスモールセルと接続する。
【００６７】
図７は、セルラーワイヤレスネットワークのワイヤレス通信デバイスが、マクロセル内でカバレッジを有する複数のスモールセルを利用することを可能にするプロセス７００を示す。その方法は、ＵＥ１０２、アンカー１０４、コアネットワーク２０２およびブースタ１０６によって図１および図２に示されるように、システム１００またはシステム２００において実現され得る。ブロック７０２において、ＵＥは、スモールセルと接続する必要性を判断する。ブロック７０４において、ＵＥは、セルへの直接の要求またはインフラストラクチャを介して等、スモールセルへのアクセスを要求する。ブロック７０６において、スモールセルは、その要求によりアクティブ化される。ブロック７０８において、ＵＥは、スモールセルに接続する。
【００６８】
例えば、ワイヤレススマートフォンは、ｅＮＢとの現在の接続が、多くのＵＥ接続によるｅＮＢ帯域幅の飽和に起因して、劣化していると判断する。ワイヤレススマートフォンは、ＲＲＣ要求をＥＰＣに送信し、それがＯＭＡＲ  ＤＭを介して受信していたリストにおけるスモールセルにアクセスする。ＥＰＣは、スモールセルを担当するブースタにメッセージを送信し、そのブースタに低電力状態から起動させる。ワイヤレススマートフォンは、アクティブ化されたブースタに接続し、１または複数のパケットデータネットワーク（ＰＤＮ）接続をアクティブ化されたブースタに伝達する。
【００６９】
図８は、セルラーワイヤレスネットワークのワイヤレス通信デバイスが、マクロセル内でカバレッジを有する複数のスモールセルを利用することを可能にするプロセス８００を示す。その方法は、ＵＥ１０２、アンカー１０４、コアネットワーク２０２およびブースタ１０６によって図１および図２に示されるように、システム１００またはシステム２００において実現され得る。ブロック８０２において、ＵＥは、複数のスモールセルについての情報の格納リストから等、スモールセルのカバレッジエリアを判断する。ブロック８０４において、ＵＥはスモールセルを使用のために選択し、これは位置および提供される複数のサービスを含むＵＥの複数の要件に基づき得る。ブロック８０６において、ＵＥは、インフラストラクチャ（例えば、ＥＰＣ）を介する等して、スモールセルへのアクセスを要求する。ブロック８０８において、インフラストラクチャは、ＵＥにサービス提供するためにスモールセルを認定し得る。ブロック８１０において、インフラストラクチャは、ブースタがＵＥと接続することを可能にする等、ＵＥと共に使用するためのスモールセルをアクティブ化し得る。ブロック８１２において、ＵＥは、スモールセルに接続し得る。
【００７０】
実施形態によっては、インフラストラクチャは、複数の異なるレベルで複数のスモールセルに対する要求に応答し得る。例えば、アンカータワーは、そのマクロセルサービスエリア内の複数のスモールセルと接続するＵＥからの複数の要求を受信し、それらに応答するロジックで構成され得る。別の例において、複数のスモールセル要求は、アンカータワーが導管として動作し、それを通じて複数の要求が通過するように、ＥＰＣによって処理され得る。
【００７１】
図９は、セルラーワイヤレスネットワークのワイヤレス通信デバイスが、マクロセル内でカバレッジを有する複数のスモールセルを利用することを可能にするプロセス９００を示す。その方法は、ＵＥ１０２、アンカー１０４、コアネットワーク２０２およびブースタ１０６によって図１および図２に示されるように、システム１００またはシステム２００において実現され得る。ブロック９０２において、インフラストラクチャは、ＵＥから要求を受信し、スモールセルに接続する。ブロック９０４において、インフラストラクチャは、どのスモールセルがＵＥによる使用のために利用可能であるか判断する。いくつかの実施形態において、インフラストラクチャは、ＵＥが支援データを送信する場合、スモールセルのリストを絞り込み得る。一実施形態において、インフラストラクチャは、推奨されるスモールセルおよび更なるスモールセルを送信する。ブロック９０６において、インフラストラクチャは、スモールセルにサービス提供するブースタが、低電力状態から起動する必要があるかどうか判断する。もしそうである場合、ブロック９０８において、インフラストラクチャは、ブースタに低電力状態から出てアクティブ状態へと入るように求める要求を送信する。いずれか場合でも、ブロック９１０において、インフラストラクチャは、次に、ＵＥにスモールセル情報を提供する。
【００７２】
ここで説明される様々な実施形態は、既存のワイヤレスシステム（例えば、ＲＡＴ、ＲＡＮ、ＵＴＲＡＮ、ＥＵＴＲＡＮ等）に対して新しい機能性を拡張、更新、使用、および／または提供するのにも用いられ得る。図１０において、ＵＥのための強化されたＬＴＥプロトコルスタック１０００の例が示される。プロトコルスタック１０００は、複数のスモールセルと接続している状態において使用するための複数の新しいメッセージ１０１６および情報要素（ＩＥ）１０１８で強化され得る。
【００７３】
スタックは、強化されたＬＴＥプロトコルスタック１０００における複数のプロトコル層を記述する。これらの層は、（ページの底部により近い層として表される）より低い層からの抽象化を提供し得る。物理層（Ｌ１）１０１４は、より高い層による使用のために物理信号を論理データに変換する複数のシステムを含む。Ｌ１は、また、測定および構成サービスを無線リソース制御（ＲＲＣ）層１００６に提供し得る。媒体アクセス制御（ＭＡＣ）層１０１２は、論理マッピングおよび／またはスケジューリングとしてトランスポートを実行する複数のシステムを含む。ＭＡＣ層１０１２は、ネットワークについての複数の測定結果およびフォーマット選択をＲＲＣ層１００６に提供し得る複数のシステムを含む。無線リンク制御（ＲＬＣ）層１０１０は、セグメンテーション、コンカチネーション、およびリアセンブルを提供する複数のシステムを含み、無線ベアラに依存する複数の異なるモードにおいて動作し得る。パケットデータコンバージェンスプロトコル（ＰＤＣＰ）層１００８は、暗号関数、ヘッダ圧縮／解凍、シーケンスナンバリング、および／または重複の除去を含むより高いレベルの複数のプロトコルに対する複数のサービスを提供し得る複数のシステムを含む。ユーザトラフィックは、ＰＤＣＰ層１００８を介してインターネットプロトコル（ＩＰ）層１００４に送信され得、それは、次に、使用のためにＵＥの複数のアプリケーションおよび複数のシステムにルーティングされる。制御トラフィックは、ＲＲＣ層１００６に送信され得る。ＲＲＣ層１００６は、ＵＥの管理および制御機能を提供し得る。ＲＲＣ層１００６の機能性は、ブロードキャスト情報、ページング、ｅＮＢとの接続管理、ＲＲＣメッセージの完全性保護、無線ベアラ制御、モビリティ機能、ＵＥ測定およびレポート、サービス品質管理等の処理を含み得る。非アクセス層（ＮＡＳ）層１００２は、モビリティ管理、呼制御、セッション管理、および／または識別情報管理を提供し得る複数のシステムを含む。
【００７４】
ＲＲＣ層１００６およびＮＡＳ層１００２は、スモールセルとの接続に役立つように、複数のＲＲＣメッセージ１０１６およびＩＥ１０１８で更に強化され得る。第１の例において、複数のシグナリング無線ベアラ（ＳＲＢ）が、アンカー基地局とＵＥとの間でうまく確立された。これにより、ＵＥは、その位置クエリおよび／またはアクティブ化要求をインフラストラクチャ側に送信すべく、これらのＳＲＢを用い得る。第１の例の一実施形態において、ＵＥとアンカーｅＮＢとの間のＲＲＣ接続が既に立ち上がり実行されている場合、新たな対のＲＲＣメッセージ、ＢｏｏｓｔｅｒＡｃｔｉｖａｔｉｏｎＲｅｑｕｅｓｔおよびＢｏｏｓｔｅｒＡｃｔｉｖａｔｉｏｎＲｅｓｐｏｎｓｅが、ブースタｅＮＢのアクティブ化を（例えば、ＬＴＥ  Ｕｕ無線インタフェースを介して）要求すべく、ＵＥによって用いられ得る。
【００７５】
別の実施形態において、ＵＥとアンカーｅＮＢとの間のＲＲＣ接続が、既に（例えば、ＬＴＥ  Ｕｕ無線インタフェースを介して）立ち上がり実行されているとき、新たな対のＲＲＣメッセージ、ＢｏｏｓｔｅｒＬｏｃａｔｉｏｎＱｕｅｒｙおよびＢｏｏｓｔｅｒＬｏｃａｔｉｏｎＲｅｓｕｌｔｓが、複数のスモールセルのカバレッジエリアに関連する位置詳細（および／または、それぞれのスモールセル基地局の配置位置を記述する情報）を取得すべく、ＵＥによって用いられ得る。
【００７６】
一実施形態において、既に既存のＲＲＣメッセージＭｅａｓｕｒｅｍｅｎｔＲｅｐｏｒｔが、ＵＥとアンカーｅＮＢとの間のＲＲＣ接続が既に立ち上がり実行されているとき（かつ、それが本発明に従って強化される場合）、スモールセルのカバレッジエリアに関連する位置詳細（および／または、それぞれのスモールセル基地局の配置位置を記述する情報）の取得、および／またはブースタｅＮＢのアクティブ化を要求すべく、ＵＥによって用いられ得る。
【００７７】
第２の例において、シグナリング無線ベアラ（ＳＲＢ）は、アンカー基地局とＵＥとの間でまだ確立されていないので、したがってＵＥは、ＳＲＢを用いることができない。代わりに、ＵＥは、ランダムアクセスを備え得るＲＲＣ接続確立手順を開始する。第１の実施形態は、ＲＲＣ接続確立手順の成功した場合を説明する一方、第２の実施形態は、失敗した場合を説明する。両方の実施形態は、ＲＲＣ層における手順を説明し、ランダムアクセス自体は、ＭＡＣ層手順である。
【００７８】
第１の実施形態において、既に既存のＲＲＣメッセージ、ＲＲＣＣｏｎｎｅｃｔｉｏｎＲｅｑｕｅｓｔおよびＲＲＣＣｏｎｎｅｃｔｉｏｎＳｅｔｕｐおよびＲＲＣＣｏｎｎｅｃｔｉｏｎＳｅｔｕｐＣｏｍｐｌｅｔｅが、成功した場合にＲＲＣ接続確立手順において用いられる。ＲＲＣメッセージ、ＲＲＣＣｏｎｎｅｃｔｉｏｎＲｅｑｕｅｓｔおよびＲＲＣＣｏｎｎｅｃｔｉｏｎＳｅｔｕｐＣｏｍｐｌｅｔｅは、アップリンク方向に進み、複数のスモールセルのカバレッジエリアに関連する位置詳細（および／または、それぞれのスモールセル基地局の配置位置を記述する情報）の取得、および／またはブースタｅＮＢのアクティブ化を要求すべく、ＵＥによって用いられ得る。
【００７９】
第２の実施形態において、既に既存のＲＲＣメッセージ、ＲＲＣＣｏｎｎｅｃｔｉｏｎＲｅｑｕｅｓｔおよびＲＲＣＣｏｎｎｅｃｔｉｏｎＲｅｊｅｃｔが、失敗した場合にＲＲＣ接続確立手順において用いられる。アップリンク方向に進むＲＲＣメッセージ、つまりＲＲＣＣｏｎｎｅｃｔｉｏｎＲｅｑｕｅｓｔは、複数のスモールセルのカバレッジエリアに関連する位置詳細（および／またはそれぞれのスモールセル基地局の配置位置を記述する情報）の取得、および／またはブースタｅＮＢのアクティブ化を要求すべく、ＵＥによって用いられ得る。
【００８０】
別の例において、インフラストラクチャ側は、接続モードの動作において存在する複数の選択されたＵＥに通知すべく、複数のＲＲＣメッセージにおいて強化を用いる。複数の変更が、スモールセルの能力またはアクティビティが変更するときにはいつでも、殆ど即座に反映され得る。一実施形態において、新たな対のＲＲＣメッセージ、ＳｍａｌｌＣｅｌｌＬｏｃａｔｉｏｎＲｅｑｕｅｓｔおよびＳｍａｌｌＣｅｌｌＬｏｃａｔｉｏｎＲｅｓｐｏｎｓｅが、基地局へのＲＲＣ接続が、（セルラー無線インタフェースを介して）既に立ち上がり実行されている場合、ＵＥによって用いられ得る。ＲＲＣメッセージ、つまりＳｍａｌｌＣｅｌｌＬｏｃａｔｉｏｎＲｅｑｕｅｓｔが、段階＃３の一部として（図５に見られるように）送信され得、ＲＲＣメッセージ、つまりＳｍａｌｌＣｅｌｌＬｏｃａｔｉｏｎＲｅｓｐｏｎｓｅが、段階＃６の一部として（図５に見られるように）送信され得る。
【００８１】
別の実施形態において、新たな対のＲＲＣメッセージは、基地局へのＲＲＣ接続が、（セルラー無線インタフェースを介して）既に立ち上がり実行されている場合、ＵＥによって用いられ得るＳｍａｌｌＣｅｌｌＬｏｃａｔｉｏｎｌｎｆｏおよびＳｍａｌｌＣｅｌｌＬｏｃａｔｉｏｎＡｃｋｎｏｗｌｅｄｇｅｍｅｎｔを含む。両方のＲＲＣメッセージ、ＳｍａｌｌＣｅｌｌＬｏｃａｔｉｏｎｌｎｆｏおよびＳｍａｌｌＣｅｌｌＬｏｃａｔｉｏｎＡｃｋｎｏｗｌｅｄｇｅｍｅｎｔが、段階＃６の一部として（図５に見られるように）送信され得る。
【００８２】
一実施形態において、強化された既存のＲＲＣメッセージは、複数の他のＲＲＣメッセージにおけるスモールセル位置情報を、例えば、ＲＲＣＣｏｎｎｅｃｔｉｏｎＲｅｃｏｎｆｉｇｕｒａｔｉｏｎといったＲＲＣメッセージの一部として、ＵＥに提供し得る。複数の他のＲＲＣメッセージも拡張され得る。
【００８３】
ＲＲＣシステムは、ＬＴＥ  Ｕｕ無線インタフェースを介して送信される様々なＲＲＣメッセージにおける複数の新たな、または強化された情報要素を含み得、これにより、ハンドセットからタワーに（アップリンク方向、段階＃３）送信される複数のＲＲＣメッセージと、タワーからハンドセット（ダウンリンク方向、段階＃６）に送信される複数のＲＲＣメッセージとの間を区別する。
【００８４】
いくつかの実施形態は、要求またはクエリを可能にすべく、アップリンク方向において前述の複数のＲＲＣメッセージのうち１つにおける以下の新しいパラメータの少なくとも１つを追加し得る。ＩＥの以下の説明は、例として意図され、実施形態をこれらの記述に限定するように読まれるべきではない。
BoosterLocationQuery1::=BOOLEAN
【００８５】
ＢｏｏｓｔｅｒＬｏｃａｔｉｏｎＱｕｅｒｙ‐Ｔｙｐｅ１のＩＥは、真否の範囲を含み得る。このＩＥは、ＵＥが、インフラストラクチャ側からブースタ配置についての位置情報を要求することを可能にし得る。
ＢｏｏｓｔｅｒＬｏｃａｔｉｏｎＱｕｅｒｙ２：：＝ＳＥＱＵＥＮＣＥ｛
ＬｏｃａｔｉｏｎＲｅｑｕｅｓｔ  ＢＯＯＬＥＡＮ
ＵＥＬｏｃａｔｉｏｎ  Ｌｏｃａｔｉｏｎｌｎｆｏ
｝
【００８６】
ＢｏｏｓｔｅｒＬｏｃａｔｉｏｎＱｕｅｒｙ‐Ｔｙｐｅ２のＩＥは、ブールのＬｏｃａｔｉｏｎＲｅｑｕｅｓｔおよびＬｏｃａｔｉｏｎｌｎｆｏと呼ばれるＵＥ位置情報（座標、半径、エリア記述、移動等）を含むコンテナであり得る。これは、インフラストラクチャ側（ＵＥの現在の位置で）からブースタ配置についての位置情報を要求するのにＵＥによって用いられ得る。
ＢｏｏｓｔｅｒＡｃｔｉｖａｔｉｏｎＲｅｑｕｅｓｔｌ：：＝ＢＯＯＬＥＡＮ
【００８７】
ＢｏｏｓｔｅｒＡｃｔｉｖａｔｉｏｎＲｅｑｕｅｓｔ１のＩＥは、真否範囲を含み得る。このＩＥは、ＵＥが、インフラストラクチャ側からブースタのアクティブ化を要求することを可能にし得る。
ＢｏｏｓｔｅｒＡｃｔｉｖａｔｉｏｎＲｅｑｕｅｓｔ２：：＝ＳＥＱＵＥＮＣＥ｛
ＡｃｔｉｖａｔｉｏｎＲｅｑｕｅｓｔ  ＢＯＯＬＥＡＮ
ＵＥＬｏｃａｔｉｏｎ  Ｌｏｃａｔｉｏｎｌｎｆｏ
｝
【００８８】
ＢｏｏｓｔｅｒＡｃｔｉｖａｔｉｏｎＲｅｑｕｅｓｔ２のＩＥは、ブールのＡｃｔｉｖａｔｉｏｎＲｅｑｕｅｓｔおよびＬｏｃａｔｉｏｎｌｎｆｏと呼ばれるＵＥ位置情報を含むコンテナであり得る。このＩＥは、インフラストラクチャ側からのブースタ（ＵＥの現在の位置で）のアクティブ化を要求するのにＵＥによって用いられ得る。
ＢｏｏｓｔｅｒＤｅｔａｉｌｓ：：＝ＥＮＵＭＥＲＡＴＥＤ｛Ｌｏｃａｔｉｏｎ，Ａｃｔｉｖｉｔｙ｝
【００８９】
ＢｏｏｓｔｅｒＤｅｔａｉｌｓのＩＥは、複数のアクティビティに関連する位置のリストを含み得る。このＩＥは、インフラストラクチャ側からブースタアクティビティおよびブースタ位置の両方に関するブースタ詳細を要求するのにＵＥによって用いられ得る。それは、ＵＥの現在の位置の指標と組み合わされ得る。
【００９０】
いくつかの実施形態は、基地局が、ＵＥの要求／クエリに応答することを可能にすべく、ダウンリンク方向において複数の前述のＲＲＣメッセージのうち１つにおいて、以下の複数の新しいパラメータのうち少なくとも１つを追加し得る。
ＢｏｏｓｔｅｒＬｏｃａｔｉｏｎ：：＝Ｌｏｃａｔｉｏｎｌｎｆｏ
【００９１】
ＢｏｏｓｔｅｒＬｏｃａｔｉｏｎのＩＥは、ブースタの位置（座標、半径、エリア記述、移動等）を記述し得る。このＩＥは、ブースタ配置に関するＵＥ位置情報を示すべく、インフラストラクチャ側によって用いられ得る。ＵＥが、先の要求／クエリにおいてその位置を示した場合、この情報要素に示される位置は、この特定のＵＥに最も適したブースタに関連することが明らかである。ＵＥが、先の要求／クエリにおいてその位置を示さなかった場合、この情報要素は、ＵＥの現在の拡大エリア（例えば、サービス提供するセルに加えて隣接するもの、またはトラッキングエリア等）において利用可能な全ての適したブースタで（例えば、優先順位で列挙されるいくつかのブースタ位置を有する）リストを含み得る。
ＢｏｏｓｔｅｒＡｃｔｉｖｉｔｙ：：＝ＳＥＱＵＥＮＣＥ｛
ＢｏｏｓｔｅｒｌＤ  ＢＩＴ  ＳＴＲＩＮＧ（ＳＩＺＥ（３２））
ＣｅｌｌＩＤ  ｃｇｉ−Ｉｎｆｏ
Ａｃｔｉｖｉｔｙ  ＥＮＵＭＥＲＡＴＥＤ｛ｏｎ，ｏｆｆ｝
｝
【００９２】
ＢｏｏｓｔｅｒＡｃｔｉｖｉｔｙのＩＥは、複数のブースタの記述を含むコンテナであり得、各記述は、ブースタについての識別子、セルＩＤおよびブースタがアクティビティを有するかどうかを含む。このＩＥは、ＵＥ情報に、ブースタアクティビティ（与えられた位置において）に関して示すのにインフラストラクチャ側によって用いられ得る。ＵＥが、先の要求／クエリにおいてその位置を示した場合、このＩＥに示されるブースタアクティビティは、この特定のＵＥに最も適したブースタに関連し得る。ＵＥが、先の要求／クエリにおいてその位置を示さなかった場合、このＩＥは、ＵＥの現在の拡大エリア（例えば、サービス提供するセルに隣接するものを加えたもの、またはトラッキングエリア等）において利用可能な全てのアクティブなブースタで（例えば、優先順位で列挙されたいくつかのブースタＩＤまたは位置を有する）リストを含み得る。
【００９３】
図１１において、システム情報ブロードキャスト中に送信されたデータの例が示される。システム情報ブロードキャストは、ＵＥが、現在、ＩＤＬＥまたはＣＯＮＮＥＣＴＥＤモードの動作に存在するかどうかに関わらず、与えられたセルにおいて全てのＵＥによって受信され得る。可能なエンコード例が、図１１において与えられる。マクロセル基地局（例えば、アンカーｅＮＢ）が、複数のスモールセルの詳細なカバレッジエリア（および／または、それぞれのスモールセル基地局の配置位置を記述する詳細な情報）の記述についてのそのシステム情報ブロードキャストにおける複数の新たな情報要素を普及させる。必要な場合、これらのＩＥは、段階＃３においてＵＥから受信されるように（図５を参照）ＵＥの個々の状況に関する支援データに従ってグループ化され得る。例えば、システム情報は、第１の（グループの）ＵＥのために意図された第１のセットの位置情報と、第２の（グループの）ＵＥのために意図された第２のセットの位置情報とを含み得る。ＵＥのグループは、例えば、ＱｏＳ要件およびモビリティ特性に関して同じかまたは類似の通信の必要性をそれぞれ有する複数のＵＥで形成され得る。
【００９４】
ここで説明されたＬＴＥ／ＬＴＥアドバンスドについての複数の符号化変形は、例である。複数の同様のパラメータが、ＧＳＭ（登録商標）／ＧＰＲＳ／ＥＤＧＥ、ＵＭＴＳ等に従った他の無線インタフェース技術において用いられ得ることに留意されるべきである。更に、複数の同様のパラメータが、ｍｍ波技術に基づいてアクセスリンク上で用いられ得る。
【００９５】
図１１に示される符号化の例は、ＳＩＢＴｙｐｅｌの一部、または、より低い優先順位を有する、完全に新しい異なったＳＩＢＴｙｐｅ（例えば、ＬＴＥ／ＬＴＥアドバンスドにおいてまだ定義されていないＳＩＢＴｙｐｅ１７）であり得る。
【００９６】
このデータは、複数のスモールセルの詳細なカバレッジエリアに関連する位置情報に関する多数のＩＥを普及させることを、可能にし得る。代替的に、それぞれのスモールセル基地局の配置位置を記述する情報が、列挙され得る。ここで、新しい構造が、ＭａｘＮｕｍｂｅｒＳＣスモールセルまでのスモールセル位置詳細を指定することを許可する。
【００９７】
ＳｍａｌｌＣｅｌｌＩｎｆｏ変数１０２が、ＳｍａｌｌＣｅｌｌＣｏｎｔａｉｎｅｒ１１０４によって表されるスモールセルのリストをカプセル化し得る。ＳｍａｌｌＣｅｌｌＣｏｎｔａｉｎｅｒ  １１０４が、識別子（ＳｍａｌｌＣｅｌｌＩｄｅｎｔｉｆｉｅｒ）、カバレッジ（ＳｍａｌｌＣｅｌｌＤｉｍｅｎｔｉｏｎおよびそのサブ属性）、ＲＡＴ記述（ＲＦｆｉｎｇｅｒｐｒｉｎｔおよびそのサブ要素）、フィンガープリント許容範囲、提供されるサービスおよび／またはサービス品質（リアルタイム、遅延耐性等）、モビリティサポート、セキュリティ等を含むスモールセルの複数の要素を記述し得る。複数のＲＡＴ記述は、ＥＵＴＲＡ１１０６、ＵＴＲＡ１１０８およびＧＥＲＡＮを含む様々なＲＡＴについての複数の記述を含み得る。複数のＲＡＴ記述は、識別、測定（例えば、基準信号受信電力（ＲＳＲＰ））、受信された基準信号も含み得る。
【００９８】
図１２は、ＵＥ、移動局（ＭＳ)、モバイルワイヤレスデバイス、モバイル通信デバイス、タブレット、ハンドセット、または他のタイプのモバイルワイヤレスデバイス等のモバイルデバイスの例示である。モバイルデバイスは、基地局（ＢＳ）等の送信局、ｅＮＢ、ベースバンドユニット（ＢＢＵ）、遠隔無線ヘッド（ＲＲＨ）、遠隔無線機器（ＲＲＥ）、中継局（ＲＳ）、無線機器（ＲＥ）または他のタイプのワイヤレスワイドエリアネットワーク（ＷＷＡＮ）アクセスポイント等と通信するように構成されている１または複数のアンテナを含み得る。モバイルデバイスは、３ＧＰＰ  ＬＴＥ、ＷｉＭＡＸ（登録商標）、ＨＳＰＡ、Ｂｌｕｅｔｏｏｔｈ（登録商標）およびＷｉ−Ｆｉ（登録商標）を含む、少なくとも１つの無線通信規格を用いて通信するように構成され得る。モバイルデバイスは、各無線通信規格用の別個の複数のアンテナまたは複数の無線通信規格用の共有の複数のアンテナを用いて通信し得る。モバイルデバイスは、ＷＬＡＮ、ワイヤレスパーソナルエリアネットワーク（ＷＰＡＮ）、および／またはＷＷＡＮにおいて通信し得る。
【００９９】
図１２は、オーディオ入力およびモバイルデバイスからの出力に用いられ得るマイク、および、１または複数のスピーカの図も提供する。ディスプレイスクリーンは、液晶ディスプレイ（ＬＣＤ）スクリーン、または、有機発光ダイオード（ＯＬＥＤ）ディスプレイ等の他のタイプのディスプレイスクリーンであってよい。ディスプレイスクリーンは、タッチスクリーンとして構成され得る。タッチスクリーンは、静電容量方式、抵抗方式、または他のタイプのタッチスクリーン技術を使用し得る。アプリケーションプロセッサおよびグラフィクスプロセッサは、処理およびディスプレイ機能を提供するために、内部メモリに結合され得る。不揮発性メモリポートは、また、データ入出力の選択肢をユーザに提供するのに用いられ得る。不揮発性メモリポートは、また、モバイルデバイスのメモリ機能を拡張するのに用いられ得る。キーボードが、更なるユーザ入力を提供すべく、モバイルデバイスに統合され得るか、またはモバイルデバイスにワイヤレスで接続され得る。仮想キーボードは、また、タッチスクリーンを用いて提供され得る。
例
【０１００】
以下の例は、更なる実施形態に関する。
【０１０１】
例１は、ＵＥが、サービス閾値より大きい複数のモバイルブロードバンド（ＭＢＢ）ネットワーク必要条件を有すると判断するように構成されているユーザ機器（ＵＥ）である。サービス閾値は、ＭＢＢシステムを介してＵＥと通信するアンカー基地局によって提供されるサービスに少なくとも部分的に基づいている。ＵＥは、スモールエリアワイヤレスアクセスノードのサービスエリアが、ＵＥにサービス提供する可能な地理的エリア内にあるかどうか判断するように更に構成されている。スモールエリアワイヤレスアクセスノードのサービスエリアは、少なくとも部分的に、ＵＥにサービスを提供するアンカーノードのサービスエリア内にある。ＵＥは、また、アンカーノードに要求を送信し、スモールエリアのワイヤレスアクセスノードからサービスを要求するように構成されている。ＵＥは、アンカーノードから、スモールエリアのワイヤレスアクセスノードの位置を含む応答情報を受信するように更に構成されている。ＵＥは、スモールエリアのワイヤレスアクセスノードが、ＵＥにサービス提供し得、スモールエリアのワイヤレスアクセスノードと接続し得るかどうか判断すべく、応答情報を処理するようにも構成されている。
【０１０２】
例２において、例１のＵＥは、スモールエリアのワイヤレスアクセスノードとの接続が、ＭＢＢからミリ波セルラーシステムに切り替えることを更に含むように、任意で構成され得る。
【０１０３】
例３において、例１−２のＵＥは、ＭＢＢネットワーク必要条件が、ロングタームエボリューション（ＬＴＥ）ネットワーク必要条件であるように、任意で構成され得る。
【０１０４】
例４において、例１−３のＵＥは、スモールエリアワイヤレスアクセスノードのサービスエリアが、地理的エリア内にあるかどうかについての判断が、ＵＥにサービス提供することが可能なスモールエリアのワイヤレスアクセスノードのリストを周期的に受信することを更に含むように、任意で構成され得る。
【０１０５】
例５において、例１−３のＵＥは、スモールエリアワイヤレスアクセスノードのサービスエリアが地理的エリア内にあるかどうかについての判断が、ＵＥにサービス提供することが可能なスモールエリアのワイヤレスアクセスノードのセットを要求することを更に含むように、任意で構成され得る。
【０１０６】
例６において、例１−５のＵＥは、ネットワーク必要条件が大型データ転送能力を含むように、任意で構成され得る。
【０１０７】
例７において、例１−６のＵＥは、ネットワーク必要条件が、アンカーノードを介して利用可能なものより優れたサービス品質を含むように、任意で構成され得る。
【０１０８】
例８において、例１−７のＵＥは、スモールエリアのワイヤレスアクセスノードとの接続が、ＵＥと通信すべくＷｉＦｉを用いることを更に含むように、任意で構成され得る。
【０１０９】
例９は、ネットワークインタフェース、位置決定システムおよびプロセッサを備えるワイヤレスネットワークデバイスである。ネットワークインタフェースは、ワイヤレスネットワークを介してワイヤレスネットワークインフラストラクチャと通信するように構成されている。位置決定システムは、ワイヤレスネットワークデバイスのデバイス位置を提供するように構成されている。プロセッサは、ワイヤレスネットワークデバイスに動作を実行させる命令を実行するように構成されている。プロセッサは、スモールセルへの接続を要求するための閾値が満たされたと判断するように更に構成されている。プロセッサは、ワイヤレスネットワークインフラストラクチャからスモールセルのセットの位置を記述する位置情報を受信するようにも構成されている。プロセッサは、ワイヤレスネットワークデバイスのデバイス位置を決定するように更に構成されている。プロセッサは、デバイスの位置をサービス提供するスモールセルのセットのうち１つのスモールセルに接続するようにも構成されている。
【０１１０】
例１０において、例９のワイヤレスネットワークデバイスは、通信の追加のチャネルを介してスモールセルと接続すべく、追加のネットワークインタフェースを任意で更に含み得る。
【０１１１】
例１１において、例１０のワイヤレスネットワークデバイスは、補充ネットワークインタフェースが、ミリ波インタフェースを更に有するように、任意で構成され得る。
【０１１２】
例１２において、例１０のワイヤレスネットワークデバイスは、ネットワークインタフェースが、ＬＴＥインタフェースを更に有するように、任意で構成され得る。
【０１１３】
例１３において、例９−１２のワイヤレスネットワークデバイスは、閾値が、データスループットを配信するワイヤレスネットワークインフラストラクチャへの現在の接続の能力を測定する閾値を超えるデータスループットに対する需要に少なくとも部分的に基づくように、任意で構成され得る。
【０１１４】
例１４において、例９−１３のワイヤレスネットワークデバイスは、プロセッサが、ワイヤレスネットワークデバイスに支援データを有するスモールセルに接続するための要求を送信させる複数の更なる命令を実行するように構成されており、支援データは、モビリティ様態、位置情報または媒体消費記述を有する、ように任意で構成され得る。
【０１１５】
例１５において、例９−１４のワイヤレスネットワークデバイスは、スモールセルへの接続が、スモールセルを起動すべく、スモールセルにアクティブ化要求を送信することを更に含むように任意で構成され得る。
【０１１６】
例１６において、例９−１５のワイヤレスネットワークデバイスは、ユーザインタフェースを提供するスクリーンを任意で更に含み得る。
【０１１７】
例１７において、例９−１６のワイヤレスネットワークデバイスは、アンテナを任意で更に含み得る。
【０１１８】
例１８は、ネットワークインタフェース、記憶およびプロセッサを備える基地局である。ネットワークインタフェースは、複数のユーザ機器（ＵＥ）を有するワイヤレスネットワークを介して通信するように構成されている。記憶は、複数のブースタの位置を有する位置データを格納するように構成されている。プロセッサは、基地局に複数のオペレーションを実行させる命令を実行するように構成されている。プロセッサは、複数のＵＥからＵＥによってブースタに接続するように求める要求を受信するように更に構成されている。要求は、ＵＥモビリティ情報を含む。プロセッサは、ＵＥによる使用に利用可能なブースタを決定するようにも構成されている。プロセッサは、ブースタ情報をＵＥに提供するように更に構成されている。
【０１１９】
例１９において、例１８の基地局は、ＵＥへの位置データの提供は、複数のＵＥに位置データをブロードキャストすること、位置データをＵＥに直接提供するか、またはＵＥに位置データを、オープンモバイルアライアンスデバイス管理（ＯＭＡ  ＤＭ）を介して提供することを更に含むように、任意で構成され得る。
【０１２０】
例２０において、例１８の基地局は、ＵＥにスモールセルを提供すべく、補充ネットワークインタフェースを任意で更に含み得る。
【０１２１】
例２１において、例２０の基地局は、補充ネットワークインタフェースがミリ波セルラーインタフェースを更に含むように任意で構成され得る。
【０１２２】
例２２において、例２０の基地局は、補充ネットワークインタフェースがＷｉＦｉ（登録商標）インタフェースを更に含むように任意で構成され得る。
【０１２３】
例２３において、例１８−２２の基地局は、ブースタを決定することが、そのブースタにパワーアップ状態から低電力状態に移行させることを更に含むように、任意で構成され得る。
【０１２４】
例２４は、基地局、ブースタおよびプロセッサを含むワイヤレスネットワークインフラストラクチャである。基地局は、第１のネットワークインタフェース、第２のネットワークインタフェースおよび記憶装置を含む。第１のネットワークインタフェースは、ワイヤレスネットワークを介し、第１の無線アクセス技術（ＲＡＴ）を用いて複数のユーザ機器（ＵＥ）と通信するように構成されている。第２のネットワークインタフェースは、コアネットワークと通信するように構成されている。記憶装置は、複数のスモールセルの位置を有する位置データを記憶するように構成されている。ブースタは、第３のネットワークインタフェースおよび第４のネットワークインタフェースを有する。第３のネットワークインタフェースは、第２のＲＡＴを用いて、ワイヤレスネットワークを介して複数のユーザ機器（ＵＥ）と通信するように構成されている。第４のネットワークインタフェースは、コアネットワークと通信するように構成されている。プロセッサは、複数のＵＥからＵＥによってブースタに接続すべく要求を受信するように構成されている。プロセッサは、ＵＥによって使用するために利用可能なブースタを決定するように更に構成されている。プロセッサは、ＵＥにブースタ情報を提供するようにも構成されている。
【０１２５】
例２５において、例２４のワイヤレスネットワークインフラストラクチャは、プロセッサを含むコアネットワークを任意で更に含み得る。
【０１２６】
例２６において、例２４−２５のワイヤレスネットワークインフラストラクチャは、ブースタと基地局との間の送信を中継するように構成された中継器を任意で更に含み得る。
【０１２７】
例２７において、例２４−２６のワイヤレスネットワークインフラストラクチャは、ブースタの第４のネットワークインタフェースと通信し、ブースタから受信された複数のメッセージをコアネットワークに送信するように構成された第５のネットワークインタフェースを、基地局が更に含むように任意で構成され得る。
【０１２８】
例２８において、例２４−２７のワイヤレスネットワークインフラストラクチャは、ブースタが、遠隔アンテナおよび遠隔アンテナからブースタまでのフロントホールを更に含むように任意で構成され得る。
【０１２９】
例２９は、ブースタと接続するためのユーザ機器（ＵＥ）のための閾値が満たされたことを判断する段階を含むワイヤレスネットワークインフラストラクチャにユーザ機器（ＵＥ）を接続する方法である。方法は、ワイヤレスネットワークインフラストラクチャからのブースタのセットの位置を記述する位置情報を受信する段階を含む。方法は、ＵＥのデバイス位置を決定する段階を更に含む。方法は、ＵＥの位置をサービス提供するブースタのセットからのブースタに接続する段階も含む。
【０１３０】
例３０において、例２９の方法は、位置情報についてワイヤレスネットワークインフラストラクチャに要求を送信する段階を任意で含み得る。
【０１３１】
例３１において、例２９−３０の方法は、支援データを含むワイヤレスネットワークインフラストラクチャに要求を送信する段階を任意で含み得る。
【０１３２】
例３２において、例２９−３１の方法は、スモールセルをアクティブ化するようにワイヤレスネットワークインフラストラクチャに要求を送信する段階を任意で含み得る。
【０１３３】
例３３は、スモールセルへの接続の値推定が超えたと判断する段階を含むユーザ機器（ＵＥ）モビリティのための方法である。方法は、ワイヤレスネットワークインフラストラクチャからのスモールセルのセットの位置を記述する位置情報を受信する段階を含む。方法は、ワイヤレスネットワークデバイスのデバイス位置を決定する段階を更に含む。方法は、デバイスの位置をサービス提供するスモールセルに接続する段階も含む。
【０１３４】
例３４において、例３３の方法は、１または複数のオペレーションを任意で含み得る。その方法は、スモールセルに接続する段階が、ミリ波インタフェースを介して接続する段階を更に備えることを、任意で含み得る。その方法は、データスループットの需要が、データスループットを配信するためのワイヤレスネットワークインフラストラクチャへの現在の接続の能力を測定する閾値を超えると判断する段階を更に備える、スモールセルのための値推定を決定する段階も任意で含み得る。その方法は、スモールセルに接続する段階が、スモールセルを起動すべくスモールセルにアクティブ化要求を送信する段階を更に備えることを、さら任意で含み得る。
【０１３５】
例３５において、例３３−３４の方法は、支援データを有するスモールセルへの接続に対する要求を送信する段階であって、支援データは、モビリティ様態、位置情報、および／またはメディア消費記述の１または複数を含む、段階を、任意で含み得る。
【０１３６】
例３５において、例３３−３５の方法は、スモールセルを介してコアネットワークにメッセージを送信する段階であって、メッセージは、アンカータワーを有するワイヤレスリンク、アンカータワーを有する有線リンク、および／またはアンカータワーとスモールセルとの間の中継器の１または複数を介して送信される、段階を任意で含み得る。
【０１３７】
例３７は、請求項２９−３６のいずれか一項で特許請求されるような方法を実行するための手段を含む装置である。
【０１３８】
例３８は、実行された場合に、請求項２９−３７のいずれか一項で特許請求されるような方法を実装する、または装置を実現する、機械可読命令を含む機械可読記憶装置である。
【０１３９】
様々な技術、または特定の態様またはこれらの一部は、フロッピー（登録商標）ディスケット、ＣＤ−ＲＯＭ、ハードドライブ、非一時的コンピュータ可読記憶媒体、または任意の他の機械可読記憶媒体等の有形の媒体において具現化されるプログラムコード（すなわち、命令）の形態を取り得、プログラムコードがコンピュータ等の機械によってロードされて実行されたときに、機械が様々な技術を実施するための装置になる。プログラマブルなコンピュータ上でのプログラムコードの実行の場合、コンピューティングデバイスは、プロセッサ、プロセッサによって可読である記憶媒体（揮発性および不揮発性メモリ、および／または記憶要素を含む）、少なくとも１つの入力デバイス、および少なくとも１つの出力デバイスを含み得る。揮発性および不揮発性メモリおよび／または記憶要素は、ＲＡＭ、ＥＰＲＯＭ、フラッシュドライブ、光ドライブ、磁気ハードドライブ、または電子データを格納するための他の媒体であり得る。ｅＮＢ（または他の基地局）およびＵＥ（または他の移動局）は、また、送受信機コンポーネント、カウンタコンポーネント、処理コンポーネント、および／またはクロックコンポーネントまたはタイマコンポーネントを含み得る。ここで説明される様々な技術を実装または利用し得る１または複数のプログラムは、アプリケーションプログラミングインタフェース（ＡＰＩ）、再利用可能なコントロール等を使用し得る。そのようなプログラムは、コンピュータシステムと通信すべく、高水準手順型またはオブジェクト指向プログラミング言語で実装され得る。しかし、プログラムは、所望であれば、アセンブリ言語または機械言語において実装され得る。いずれの場合においても、言語は、コンパイラ型言語またはインタプリタ型言語であり得、ハードウェア実装と組み合わせられ得る。
【０１４０】
本明細書において説明される多くの機能ユニットが、１または複数のコンポーネントとして実装され得ることが理解されるべきであり、それらの実装の独立性をより具体的に強調するために用いられる用語である。例えば、コンポーネントは、カスタムの超大規模集積（ＶＬＳＩ）回路またはゲートアレイ、ロジックチップ等の既製の半導体、トランジスタ、または他の別々のコンポーネントを備えるハードウェア回路として実装され得る。コンポーネントは、また、フィールドプログラマブルゲートアレイ、プログラマブルアレイロジック、プログラマブルロジックデバイス、またはその類のもの等のプログラマブルハードウェアデバイスで実装され得る。
【０１４１】
コンポーネントは、また、様々なタイプのプロセッサによる実行のためのソフトウェアで実装されて得る。実行可能コードの特定のコンポーネントは、例えば、コンピュータ命令の１または複数の物理または論理ブロックを備え得て、例えば、オブジェクト、手順、または機能として体系化され得る。それでもなお、特定されたコンポーネントの実行可能なファイルは、物理的に共に位置付けられる必要はないが、論理的に共に結合されたときに、そのコンポーネントを備え、そのコンポーネントのための述べられた目的を達成する異なる位置に格納される全く異なる命令を備え得る。
【０１４２】
実際、実行可能コードのコンポーネントは、単一の命令または多くの命令であってよく、いくつかの異なるコードセグメントにわたって、異なるプログラムの間で、およびいくつかのメモリデバイスをわたって分布さえされ得る。同様に、処理データは、コンポーネント内にここで特定され示され得、任意の適切な形態で具現化され得、任意の適切なタイプのデータ構造内で体系化され得る。処理データは、単一のデータセットとして集められ得、または、異なる複数の記憶デバイスにわたることを含めて、異なる複数の位置にわたって分布され得、少なくとも部分的には、システムまたはネットワーク上で、単に複数の電子信号として存在し得る。コンポーネントは、受動的または能動的であり得、所望の機能を実行するように動作可能であるエージェントを含む。
【０１４３】
本明細書全体を通じて「例」についての言及は、例に関連して説明される特定の特徴、構造、または特性、が本発明の少なくとも１つの実施形態に含まれることを意味する。したがって、本明細書全体を通じて様々な箇所における「例において」という語句の出現は、必ずしも全て同一の実施形態を参照していない。
【０１４４】
本明細書全体を通じて参照した「一実施形態」または「実施形態」は、その実施形態に関連して説明された特定の機能、構造、または特性が、本発明の少なくとも１つの実施形態に含まれることを意味する。したがって本明細書を通じて様々な箇所において「一実施形態」または「実施形態」という語句が出現した場合、これらは、必ずしも全てが同一の実施形態を参照しているとは限らない。
【０１４５】
ここで用いられるように、複数のアイテム、構造的要素、構成要素、および／または材料は、便宜上、共通のリストにおいて提示され得る。しかし、これらのリストは、リストの各部材が、別個かつ一意的な部材として個別に特定されるように解釈されるべきである。したがって、そのようなリストの個々の部材は、それとは反対の指標がない限り、共通のグループにおけるそれの提示に専ら基づいて、同じリストの任意の他の部材の事実上の均等物として解釈されるべきではない。更に、本発明の様々な実施形態および例は、これらの様々なコンポーネントの代替手段と共にここで参照されてよい。そのような実施形態、例、および代替手段は、互いの事実上の均等物として解釈されず、本発明の別個で自律的な表現として考慮されるべきであることが理解される。
【０１４６】
更に、説明される機能、構造、または特性は、１または複数の実施形態において、任意の適切な態様で組み合わせられてよい。以下の説明において、本発明の実施形態の深い理解を提供するために、例えば、材料、周波数、サイズ、長さ、幅、形状等の例等の多くの具体的な詳細が、提供される。しかし、当業者は、本発明が特定の詳細のうちの１または複数を用いることなく、または他の方法、コンポーネント、材料等で実施されてよいことを認識するであろう。他の例において、周知の構造、材料、または動作は、本発明の態様を不明瞭にすることを回避すべく、示されず、または詳細に説明されない。
【０１４７】
上記のものは、明確性の目的のためにいくつかの詳細において説明されているが、これらの原理から逸脱することなく、特定の変更および修正がなされてよいことが明らかであろう。ここで説明されるプロセスおよび装置の両方を実装することの多くの代替の方法があることが留意されるべきである。したがって、本実施形態は、例示であって限定的でないと考慮されるべきであり、本発明は、ここで与えられる詳細に限定されるべきでないが、添付の請求項の範囲および均等物の範囲内で修正され得る。
【０１４８】
当業者は、本発明の根本的な原理から逸脱することなく、上で説明された実施形態の詳細に対して、多くの変更がなされてよいことを理解するであろう。
したがって、本発明の範囲は、以下の請求項によってのみ決定されるべきである。
［項目１］
ユーザ機器（ＵＥ）であって、
サービス閾値より大きい複数のモバイルブロードバンド（ＭＢＢ）ネットワーク必要条件を上記ＵＥが備えると判断し、上記サービス閾値は、ＭＢＢシステムを介して上記ＵＥと通信するアンカー基地局によって提供されるＭＢＢサービスに少なくとも部分的に基づいており、
スモールエリアワイヤレスアクセスノードのサービスエリアが、上記ＵＥにサービス提供することが可能な地理的エリア内にあるかどうか判断し、上記スモールエリアワイヤレスアクセスノードのサービスエリアは、上記ＭＢＢサービスを上記ＵＥに提供するアンカーノードのサービスエリア内に少なくとも部分的にあり、
上記アンカーノードに、スモールエリアのワイヤレスアクセスノードからスモールエリアのワイヤレスアクセスノードサービスを要求する、要求を送信し、
上記アンカーノードから、上記スモールエリアのワイヤレスアクセスノードの位置を含む応答情報を受信し、
上記スモールエリアのワイヤレスアクセスノードが、上記ＵＥにサービス提供し得るかどうか判断すべく、上記応答情報を処理し、
上記スモールエリアのワイヤレスアクセスノードと接続する、
ＵＥ。
［項目２］
上記スモールエリアのワイヤレスアクセスノードと接続することは、ＭＢＢからミリ波セルラーシステムに切り替えることを更に有する、項目１に記載のＵＥ。
［項目３］
上記複数のＭＢＢネットワーク必要条件は、複数のロングタームエボリューション（ＬＴＥ）ネットワーク必要条件である、項目１または２に記載のＵＥ。
［項目４］
上記スモールエリアワイヤレスアクセスノードのサービスエリアが、上記地理的エリア内にあるかどうか判断することは、上記ＵＥにサービス提供することが可能なスモールエリアのワイヤレスアクセスノードのリストを周期的に受信することを更に有する、項目１から３のいずれか一項に記載のＵＥ。
［項目５］
上記スモールエリアワイヤレスアクセスノードのサービスエリアが、上記地理的エリア内にあるかどうか判断することは、上記ＵＥにサービス提供することが可能な複数のスモールエリアのワイヤレスアクセスノードのセットを要求することを更に備える、項目１から４のいずれか一項に記載のＵＥ。
［項目６］
上記複数のＭＢＢネットワーク必要条件は、大容量データ転送能力を含む、項目１から５のいずれか一項に記載のＵＥ。
［項目７］
上記複数のＭＢＢネットワーク必要条件は、上記アンカーノードを介して利用可能であるものより優れたサービス品質を含む、項目１から６のいずれか一項に記載のＵＥ。
［項目８］
上記スモールエリアのワイヤレスアクセスノードと接続することは、ＷｉＦｉを用いて上記ＵＥと通信することを更に含む、項目１から７のいずれか一項に記載のＵＥ。
［項目９］
ワイヤレスネットワークデバイスであって、
ワイヤレスネットワークを介してワイヤレスネットワークインフラストラクチャと通信するネットワークインタフェースと、
上記ワイヤレスネットワークデバイスのデバイス位置を提供する位置決定システムと、
プロセッサであって、上記ワイヤレスネットワークデバイスに、
スモールセル接続を要求するための閾値が満たされたと判断させ、上記ワイヤレスネットワークインフラストラクチャからスモールセルのセットの位置を記述する位置情報を受信させ、
上記ワイヤレスネットワークデバイスの上記デバイス位置を決定させ、上記ワイヤレスネットワークデバイスの上記デバイス位置にサービス提供する、上記スモールセルのセットからのスモールセルに接続させる、複数の命令を実行する、プロセッサと、
を備える、
ワイヤレスネットワークデバイス。
［項目１０］
通信の追加のチャネルを介して上記スモールセルと接続する補充ネットワークインタフェースを更に備える、項目９に記載のワイヤレスネットワークデバイス。
［項目１１］
上記補充ネットワークインタフェースは、ミリ波インタフェースを更に有する、項目１０に記載のワイヤレスネットワークデバイス。
［項目１２］
上記ネットワークインタフェースは、ロングタームエボリューション（ＬＴＥ）インタフェースを更に有する、項目１０に記載のワイヤレスネットワークデバイス。
［項目１３］
上記閾値は、データスループットを配信する上記ワイヤレスネットワークインフラストラクチャへの現在の接続の能力を測定するスループット閾値を超える、上記データスループットの需要に少なくとも部分的に基づいている、項目９から１２のいずれか一項に記載のワイヤレスネットワークデバイス。
［項目１４］
上記プロセッサは、上記ワイヤレスネットワークデバイスに、支援データを有するスモールセル接続に対する要求を送信させる更なる複数の命令を実行し、上記支援データは、モビリティ様態、位置情報またはメディア消費記述を含む、項目９から１３のいずれか一項に記載のワイヤレスネットワークデバイス。
［項目１５］
上記スモールセルへの接続は、上記スモールセルを起動すべく、上記スモールセルにアクティブ化要求を送信することを更に有する、項目９から１４のいずれか一項に記載のワイヤレスネットワークデバイス。
［項目１６］
基地局であって、
第１の無線アクセス技術（ＲＡＴ）を用いて、第１のワイヤレスネットワークを介して複数のユーザ機器（ＵＥ）と通信する第１のネットワークインタフェースと、
コアネットワークと通信する第２のネットワークインタフェースと、
複数のスモールセルの複数の位置を含む位置データを格納する記憶装置と、を有する基地局と、
ブースタであって、
第２のＲＡＴを用いて複数のユーザ機器（ＵＥ）と第２のワイヤレスネットワークを介して通信する第３のネットワークインタフェースと、
上記コアネットワークと通信する第４のネットワークインタフェースと、を有するブースタと、
プロセッサであって、
上記複数のＵＥからのＵＥによって上記ブースタに接続するための要求を受信し、
上記ＵＥによって使用するために利用可能な上記ブースタを決定し、
ブースタ情報を上記ＵＥに提供する、
プロセッサと、を備える、
ワイヤレスネットワークインフラストラクチャ。
［項目１７］
上記プロセッサを含む上記コアネットワークを更に備える、項目１６に記載のワイヤレスネットワークインフラストラクチャ。
［項目１８］
上記ブースタと上記基地局との間で複数の送信を中継する中継器を更に備える、項目１６または１７に記載のワイヤレスネットワークインフラストラクチャ。
［項目１９］
上記基地局は、上記ブースタの上記第４のネットワークインタフェースと通信し、上記ブースタから受信された複数のメッセージを上記コアネットワークに送信する第５のネットワークインタフェースを更に備える、項目１６から１８のいずれか一項に記載のワイヤレスネットワークインフラストラクチャ。
［項目２０］
上記ブースタは、遠隔アンテナおよび上記遠隔アンテナから上記ブースタまでのフロントホールを更に備える、項目１６から１９のいずれか一項に記載のワイヤレスネットワークインフラストラクチャ。
［項目２１］
ユーザ機器（ＵＥ）をワイヤレスネットワークインフラストラクチャに接続する方法であって、上記方法は、
ブースタと接続するユーザ機器（ＵＥ）のための閾値が満たされたと判断する段階と、
上記ワイヤレスネットワークインフラストラクチャからのブースタのセットの位置を記述する位置情報を受信する段階と、
上記ＵＥのデバイス位置を決定する段階と、
上記ＵＥの上記デバイス位置をサービス提供する、上記ブースタのセットからのブースタに接続する段階と、を備える、
方法。
［項目２２］
上記方法は、上記ワイヤレスネットワークインフラストラクチャに上記位置情報の要求を送信する段階を更に備える、項目２１に記載の方法。
［項目２３］
上記方法は、上記ワイヤレスネットワークインフラストラクチャに支援データを含む要求を送信する段階を更に備える、項目２１または２２に記載の方法。
［項目２４］
上記方法は、上記ブースタをアクティブ化するように上記ワイヤレスネットワークインフラストラクチャに要求を送信する段階を更に備える、項目２１から２３のいずれか一項に記載の方法。
［項目２５］
実行される場合に、項目２１から２４のいずれか一 項に記載の方法を実装する、または装置を実現する、複数の機械可読命令を含む、機械可読記憶装置。
【図１】
0006372726.tif 000002
【図２】
0006372726.tif 000003
【図３】
0006372726.tif 000004
【図４】
0006372726.tif 000005
【図５】
0006372726.tif 000006
【図６】
0006372726.tif 000007
【図７】
0006372726.tif 000008
【図８】
0006372726.tif 000009
【図９】
0006372726.tif 000010
【図１０】
0006372726.tif 000011
【図１１】
0006372726.tif 000012
【図１２】
0006372726.tif 000013